(57)【要約】  本発明は、ＬＴＥのような第４世代通信システム以後より高いデータ伝送率をサポートするために提供されている第５世代又はプレ５Ｇ通信システムを提供する。本発明は、移動通信ネットワークにおける信号を送受信する方法であって、端末に提供されるトラフィックに対するトラフィック特性を検出するステップと、トラフィック特性に基づいて端末に対するアップリンクに適用される第１の無線アクセス技術(ＲＡＴ)及び端末に対するダウンリンクに適用される第２のＲＡＴを決定するステップと、第１のＲＡＴ及び第２のＲＡＴをもとに端末に対するアップリンク及びダウンリンクを制御するステップとを有する。
2018523379.tif 000002
【特許請求の範囲】
【請求項１】
移動通信ネットワークにおける信号を送受信する方法であって、
端末に提供されるトラフィックに対するトラフィック特性を検出するステップと、
前記トラフィック特性に基づいて前記端末に対するアップリンクに適用される第１の無線アクセス技術(ＲＡＴ)及び前記端末に対するダウンリンクに適用される第２のＲＡＴを決定するステップと、
前記第１のＲＡＴ及び第２のＲＡＴをもとに前記端末に対するアップリンク及びダウンリンクを制御するステップと、
を有することを特徴とする方法。
【請求項２】
前記トラフィック特性に基づいて前記第１のＲＡＴ及び前記第２のＲＡＴを決定するステップは、
移動通信サービスプロバイダポリシーと前記端末の加入者情報のうち少なくとも一つと前記トラフィック特性に基づいて前記第１のＲＡＴ及び第２のＲＡＴを決定するステップを有することを特徴とする請求項１に記載の方法。
【請求項３】
前記トラフィック特性は、パケットサイズ、パケット間の時間間隔、及びダウンリンクトラフィックとアップリンクトラフィックとの間の比のうち少なくとも一つを含むことを特徴とする請求項２に記載の方法。
【請求項４】
前記移動通信サービスプロバイダポリシーは、トラフィック特性別に適合したＲＡＴをマッピングした情報を含むことを特徴とする請求項２に記載の方法。
【請求項５】
前記トラフィックがｄｏｗｎｌｉｎｋ-ｄｏｍｉｎａｔｅｄアプリケーショントラフィックである場合、前記第１のＲＡＴはライセンスバンドを使用することを特徴とする請求項４に記載の方法。
【請求項６】
前記ｄｏｗｎｌｉｎｋ-ｄｏｍｉｎａｔｅｄアプリケーショントラフィックは、ダウンリンクトラフィック対アップリンクトラフィックの比がしきい値を超えるトラフィックであることを特徴とする請求項５に記載の方法。
【請求項７】
前記トラフィックがｄｏｗｎｌｉｎｋ-ｄｏｍｉｎａｔｅｄアプリケーショントラフィックでない場合、前記第１のＲＡＴはアンライセンスバンドを使用することを特徴とする請求項４に記載の方法。
【請求項８】
前記ｄｏｗｎｌｉｎｋ-ｄｏｍｉｎａｔｅｄアプリケーショントラフィックは、ダウンリンクトラフィック対アップリンクトラフィックの比がしきい値を超えるトラフィックであることを特徴とする請求項７に記載の方法。
【請求項９】
前記移動通信サービスプロバイダポリシーは、トラフィック方向別に適合したＲＡＴがマッピングされる情報を含むことを特徴とする請求項２に記載の方法。
【請求項１０】
前記移動通信サービスプロバイダポリシーは、前記トラフィックがセキュリティ関連トラフィックである場合、ライセンスバンドを使用するＲＡＴがアップリンクトラフィックに対して使用されるようにマッピングすることを特徴とする請求項９に記載の方法。
【請求項１１】
移動通信ネットワークにおける基地局であって、
端末に提供されるトラフィックに対するトラフィック特性を検出し、前記トラフィック特性に基づいて前記端末に対するアップリンクに適用される第１の無線アクセス技術(ＲＡＴ)及び前記端末に対するダウンリンクに適用される第２のＲＡＴを決定し、前記第１のＲＡＴ及び前記第２のＲＡＴに基づいて前記端末に対するアップリンク及びダウンリンクを制御する制御器を含むことを特徴とする基地局。
【請求項１２】
前記制御器は、移動通信サービスプロバイダポリシーと前記端末の加入者情報のうち少なくとも一つ及び前記トラフィック特性に基づいて前記第１のＲＡＴ及び前記第２のＲＡＴを決定することを特徴とする請求項１１に記載の基地局。
【請求項１３】
前記トラフィック特性は、パケットサイズ、パケット間時間間隔、ダウンリンクトラフィック対アップリンクトラフィックの比のうち少なくとも一つを含むことを特徴とする請求項１２に記載の基地局。
【請求項１４】
前記移動通信サービスプロバイダポリシーは、適合したＲＡＴがトラフィック特性別にマッピングされる情報を含むことを特徴とする請求項１２に記載の基地局。
【請求項１５】
請求項５乃至請求項１０のいずれか１項の方法を実行するように構成されることを特徴とする基地局。
【発明の詳細な説明】
【技術分野】
【０００１】
本発明は移動通信ネットワークにおける信号を送受信する装置及び方法に関するもので、特に移動通信ネットワークにおいてトラフィック特性に基づいて信号を送受信する装置及び方法に関する。
【背景技術】
【０００２】
第４世代(４Ｇ)通信システムの商用化以後に増加傾向にある無線データトラフィック需要を満たすために、改善された第５世代(５Ｇ)通信システムまたはプレ５Ｇ(pre-5G)通信システムを開発するための努力がなされている。そのため、５Ｇ通信システム又はプレ５Ｇ通信システムは４Ｇネットワーク以後(beyond  4G  network)通信システム又はＬＴＥ(Long-Term  Evolution)システム以後(Post  LTE)のシステムと呼ばれている。
【０００３】
高いデータ伝送レートを達成するために、５Ｇ通信システムは、ミリメートル波(ｍｍＷａｖｅ)帯域(例えば、６０ギガ(６０ＧＨｚ)帯域のような周波数帯域)での実現が考慮されている。超高周波帯域での電波の経路損失の緩和及び電波の伝達距離を増加させるために、５Ｇ通信システムではビームフォーミング(beam  forming)、大規模多重入力多重出力(ｍａｓｓｉｖｅ  ＭＩＭＯ)方式、全次元多重入力多重出力(ＦＤ-ＭＩＭＯ)方式、アレイアンテナ方式、アナログビームフォーミング方式、及び大型アンテナ(large  scale  antenna)方式などが論議されている。
【０００４】
さらに、システムのネットワーク改善のために、５Ｇ通信システムでは進化した小型セル、改善された小型セル(advanced  small  cell)、クラウド無線アクセスネットワーク(cloud  RAN)、超高密度ネットワーク(ultra-dense  network)、Ｄ２Ｄ(Device  to  Device)通信、無線バックホール、移動ネットワーク、協力通信(cooperative  communication)、ＣｏＭＰ(Coordinated  Multi-Points)、及び受信干渉除去(interference  cancellation)などの技術が開発されている。
【０００５】
その他にも、５Ｇシステムでは進歩した符号化変調(Advanced  Coding  Modulation：ＡＣＭ)方式であるハイブリッド周波数シフトキーイング(ＦＳＫ)、直交振幅変調(ＱＡＭ)方式、及びＳＷＳＣ(Sliding  Window  Superposition  Coding)方式と、進歩したアクセス技術であるフィルタバンクマルチキャリア(ＦＢＭＣ)方式と、非直交多重アクセス(ＮＯＭＡ)方式及びＳＣＭＡ(Sparse  Code  Multiple  Access)方式などが開発されている。
【０００６】
急増しているモバイルトラフィックをサポートするために移動通信プロバイダは、多様な技術を開発している。そのうち、代表的な技術がＩＥＥＥ(Institute  of  Electrical  and  Electronics  Engineers)８０２.１１ａ、ＩＥＥＥ８０２.１１ｇ、ＩＥＥＥ８０２.１１ｎ、ＩＥＥＥ８０２.１１ａｃ、ＩＥＥＥ８０２.１１ａｄ、ＩＥＥＥ８０２.１１ａｘを含むＩＥＥＥ８０２.１１系列の無線ＬＡＮ(Local  Access  Network)方式を使用する小型基地局をプロバイダネットワークに連動させるものである。
【０００７】
一方、ＩＥＥＥ８０２.１１無線ＬＡＮ系列のプロトコルは、無線チャンネルを介してデータを送信するためにフレーム間の時間間隔(inter-frame  spacing）と、フレームの物理レイヤヘッダー及びメディアアクセス制御(ＭＡＣ)レイヤヘッダー、ＡＣＫ(acknowledgement)フレーム送信のような多様な形態のオーバーヘッドを含むという特性を有する。このような特性は、高速データ送信の場合でデータ送信に比してオーバーヘッドの比重を相対的に非常に大きくなるようにすることができる。
【０００８】
したがって、ＩＥＥＥ８０２.１１ｎからは複数のデータフレーム、例えば複数のＭＡＣデータプロトコルユニット(ＭＰＤＵ)をアグリゲーションして一つのデータフレームを生成し、生成したデータフレームを送信する方式であるＭＰＤＵアグリゲーション(Ａ-ＭＰＤＵ)方式が使用されている。
【０００９】
しかしながら、一部アプリケーションでは、Ａ-ＭＰＤＵ方式を適用しにくいラフィックパターンを生成する。このように、Ａ-ＭＰＤＵ方式を適用しにくいトラフィックパターンの代表的な例としては、ＨＴＴＰ(Hyper  Text  Transfer  Protocol)ビデオ、ＨＴＴＰオーディオ、ソフトウェアアップデート、及びＡｎｄｒｏｉｄマーケットのようなｄｏｗｎｌｏａｄ-ｄｏｍｉｎａｔｅｄアプリケーションに対するアップリンク方向トラフィックである。
【００１０】
Ａ-ＭＰＤＵ方式を適用することが難しいトラフィックパターンを生成するアプリケーションである場合、一般的にダウンリンクでは比較的大きいサイズのデータパケットが連続して送信されるが、アップリンクでは受信されたダウンリンクデータパケットに対する送信制御プロトコル(ＴＣＰ)認知(ＡＣＫ)パケットのみが伝送される。ここで、ダウンリンクデータパケットは、一般的に比較的大きいサイズ、例えばおよそ１５００バイトのサイズを有する一方、アップリンクデータパケットは、ＴＣＰ  ＡＣＫパケットのサイズに該当する比較的小さいサイズ、例えば約４０〜５２バイトのサイズを有する。また、ＴＣＰ  ＡＣＫパケットは、一般的に２個のＴＣＰデータパケットが受信された後に１回送信されるので、ＴＣＰ  ＡＣＫパケットの送信頻度は、ＴＣＰデータパケットの送信頻度に比べて１/２である。
【００１１】
したがって、ｄｏｗｎｌｉｎｋ-ｄｏｍｉｎａｔｅｄアプリケーションのアップリンクではＩＥＥＥ８０２.１１プロトコルでサポートされるＡ-ＭＰＤＵ方式が使用されることが不可能なトラフィックパターンが生成され、送信されるパケットデータの量対比ヘッダー送信、フレーム間時間間隔のようなオーバーヘッドが深刻に増加するようになる。
上記した情報は、本発明の理解を助けるために背景情報のみとして開示される。これらが本発明に対して従来技術として適用できるか否かに関しては何の決定及び断言も下されていない。
【発明の概要】
【発明が解決しようとする課題】
【００１２】
したがって、本発明は上記した従来技術の問題点に鑑みてなされたものであって、その目的は、移動通信ネットワークにおいてトラフィック特性に基づいて信号を送受信する装置及び方法を提供することにある。
【００１３】
本発明の他の目的は、移動通信ネットワークにおいてトラフィック特性に適合した無線アクセス技術(ＲＡＴ）を使用して信号を送受信する装置及び方法を提供することにある。
【００１４】
さらに、本発明の目的は、移動通信ネットワークにおいてダウンリンクに適用されるＲＡＴとアップリンクに適用されるＲＡＴを別途考慮して信号を送受信する装置及び方法を提供することにある。
【課題を解決するための手段】
【００１５】
上記のような目的を達成するために、本発明の一態様によれば、移動通信ネットワークにおける信号を送受信する方法が提供される。その方法は、端末に提供されるトラフィックに対するトラフィック特性を検出するステップと、トラフィック特性に基づいて端末に対するアップリンクに適用される第１の無線アクセス技術(ＲＡＴ)及び端末に対するダウンリンクに適用される第２のＲＡＴを決定するステップと、第１のＲＡＴ及び第２のＲＡＴをもとに端末に対するアップリンク及びダウンリンクを制御するステップとを有する。
【００１６】
本発明の他の態様によれば、移動通信ネットワークにおいて信号を送受信する方法が提供される。その方法は、第１の無線アクセス技術(ＲＡＴ）に基づいてアップリンクを制御するステップと、第２のＲＡＴに基づいてダウンリンクを制御するステップとを有し、第１のＲＡＴ及び第２のＲＡＴは各々端末に提供されるトラフィックに対するトラフィック特性をもとに決定される。
【００１７】
また、本発明の他の態様によれば、移動通信ネットワークにおける基地局が適用される。上記基地局は、端末に提供されるトラフィックに対するトラフィック特性を検出し、トラフィック特性に基づいて端末に対するアップリンクに適用される第１の無線アクセス技術(ＲＡＴ)及び端末に対するダウンリンクに適用される第２のＲＡＴを決定し、第１のＲＡＴ及び第２のＲＡＴに基づいて前記端末に対するアップリンク及びダウンリンクを制御する制御器を含む。
【００１８】
さらに、本発明の他の態様によれば、移動通信ネットワークにおける端末が提供される。上記端末は、第１の無線アクセス技術(ＲＡＴ）に基づいてアップリンクを制御し、第２のＲＡＴに基づいてダウンリンクを制御する制御器を含み、第１のＲＡＴ及び第２のＲＡＴは各々端末に提供されるトラフィックに対するトラフィック特性をもとに決定される。
【００１９】
本発明による実施形態の上記及び他の態様、特徴、及び利点は、添付の図面と共に述べる以下の詳細な説明から、一層明らかになるはずである。
【００２０】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives thereof）は、限定されない含有(inclusion)を意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に接続する（interconnect with）”、“包含する（contain）”、“包含される（be contained within）”、“接続する（connect to or with）”、“結合する（couple to or with）”、“疎通する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。“制御器”は、少なくとも１つの動作を制御する装置、システム又はその部分を意味するもので、ハードウェア、ファームウェア、ソフトウェア、又は、それらのうちの２つ以上の組合せで実現することができる。特定の制御部に関連する機能は、集中しているか、あるいは近距離、又は遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【発明の効果】
【００２１】
本発明は、移動通信ネットワークにおいてトラフィック特性に基づいて信号を送受信することができる。
【００２２】
また、本発明は、移動通信ネットワークにおいてトラフィック特性に適合したＲＡＴを用いて信号を送受信することができる。
【００２３】
さらに、本発明は、移動通信ネットワークにおいてダウンリンクに適用されるＲＡＴとアップリンクに適用されるＲＡＴを別途考慮して信号を送受信することができる。
【図面の簡単な説明】
【００２４】
【図１】本発明の一実施形態による移動通信ネットワークの内部構成を概略的に示す図である。
【図２】本発明の一実施形態による移動通信ネットワークでｅＮＢがトラフィック特性に基づいてトラフィック方向別にダウンリンクベアラ及びアップリンクベアラを接続するプロセスを概略的に示す図である。
【図３】本発明の一実施形態による移動通信ネットワークでｅＮＢがトラフィック特性に基づいてトラフィック方向に適合したＲＡＴを決定するプロセスの一例を概略的に示す図である。
【図４】本発明の一実施形態による移動通信ネットワークでｅＮＢがトラフィック特性に基づいてトラフィック方向に適合したＲＡＴを決定するプロセスの他の例を概略的に示す図である。
【図５】本発明の一実施形態による移動通信ネットワークで移動通信サービスプロバイダがトラフィック特性をもとにトラフィック方向に適合したＲＡＴを決定するプロセスを概略的に示す図である。
【図６】本発明の一実施形態による移動通信ネットワークで移動通信サービスプロバイダが加入者タイプに従ってトラフィック方向に適合したＲＡＴを決定するプロセスを概略的に示す図である。
【図７】本発明の一実施形態による移動通信ネットワークでベアラの構成の一例を概略的に示す図である。
【図８】本発明の一実施形態による移動通信ネットワークでベアラの構成の他の例を概略的に示す図である。
【図９Ａ】図８に示したベアラの構成による移動通信ネットワークにおけるベアラを接続するプロセスを概略的に示す図である。
【図９Ｂ】図８に示したベアラの構成による移動通信ネットワークにおけるベアラを接続するプロセスを概略的に示す図である。
【図１０】本発明の一実施形態による移動通信ネットワークでベアラの構成のもう一つの例を概略的に示す図である。
【図１１Ａ】図１０に示したベアラの構成による移動通信ネットワークでベアラを接続するプロセスを概略的に示す図である。
【図１１Ｂ】図１０に示したベアラの構成による移動通信ネットワークでベアラを接続するプロセスを概略的に示す図である。
【図１２】本発明の一実施形態による移動通信ネットワークにおけるＵＥの内部構成を概略的に示す図である。
【図１３】本発明の一実施形態による移動通信ネットワークにおけるｅＮＢの内部構成を概略的に示す図である。
【図１４】本発明の一実施形態による移動通信ネットワークにおけるＡＰの内部構成を概略的に示す図である。
【図１５】本発明の一実施形態による移動通信ネットワークにおけるＭＭＥの内部構成を概略的に示す図である。
【図１６】本発明の一実施形態による移動通信ネットワークにおけるＳＧＷの内部構成を概略的に示す図である。
【図１７】本発明の一実施形態による移動通信ネットワークにおけるＰＧＷの内部構成を概略的に示す図である。
【図１８】本発明の一実施形態による移動通信ネットワークにおけるＰＣＲＦエンティティの内部構成を概略的に示す図である。
【図１９】本発明の一実施形態による移動通信ネットワークにおけるＨＳＳの内部構成を概略的に示す図である。
【発明を実施するための形態】
【００２５】
以下、本発明の望ましい実施形態を添付の図面を参照して詳細に説明する。
【００２６】
図面において、同一の構成要素に対してはできるだけ同一の参照符号及び参照番号を付して説明する。
【００２７】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。なお、公知の機能又は構成に関する具体的な説明は、明瞭性と簡潔性のために省略する。
【００２８】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２９】
本願明細書に記載の各要素は、文脈中に特に明示しない限り、複数形を含むことは、当業者には理解できるものである。したがって、例えば、“コンポーネント表面（a component surface）”との記載は、１つ又は複数の表面を含む。
【００３０】
‘第１’、‘第２’のように序数を含む用語は多様な構成要素を説明するために使用されるが、構成要素は、上記用語により限定されない。これらの用語は、一つの構成要素を他の構成要素から区別する目的のみで使われる。例えば、本発明の権利範囲を外れることなく、第１の構成要素は第２の構成要素と称され、同様に第２の構成要素も第１の構成要素と称され得る。‘及び／又は’という用語は、複数の関連した記載項目の組合せ又は複数の関連した記載項目のうち何れか一つを含む。
【００３１】
ここで使用される用語は、特定の実施形態を説明するためのものであり、本発明を限定するものではない。単数形が、コンテキスト中に特記で明示されない限り、複数形を含むことは、当業者には容易に分かることであろう。また、‘含む’又は‘有する’などの用語は、明細書上に記載された特徴、数字、段階、動作、構成要素、部品又はこれらの組合せが存在することを指定しようとするものであって、一つ又はそれ以上の他の特徴、数字、段階、動作、構成要素、部品、若しくはこれらの組合せが、存在する或いは付加される可能性を予め排除しないことを理解しなければならない。
【００３２】
別に定義されない限り、ここで使用される技術的及び科学的な用語を含むすべての用語は、本発明が属する技術分野で通常の知識を持った者には一般的に理解される意味と同一の意味を有する。一般的に使用される辞典で定義されるような用語は、関連技術の文脈上有する意味と一致する意味を有すると解析されなければならなく、ここで明白に定義されない限り、理想的又は過度に形式的な意味で解析されない。
【００３３】
本発明の多様な実施形態によると、電子デバイスは、通信機能を含むことができる。例えば、電子デバイスは、スマートフォン、パーソナルコンピュータ(ＰＣ)、携帯電話、テレビ電話、電子書籍リーダ、デスクトップＰＣ、ラップトップＰＣ、ネットブックＰＣ、ＰＤＡ(Personal Digital Assistant)、ＰＭＰ(Portable Multimedia Player)、ｍｐ３プレーヤー、モバイル医療デバイス、カメラ、ウェアラブルデバイス(例えば、ＨＭＤ(Head-Mounted  Device)、電気衣類、電子ブレース(electronic brace)、電子ネックレス、電子アクセサリ、電子タトゥー、又はスマート時計)であってもよい。
【００３４】
本発明の実施形態によると、電子デバイスは、通信機能を有するスマート家電であってもよい。スマート家電は、例えばテレビジョン、ＤＶＤ(Digital Video Disk)プレーヤー、オーディオ、冷蔵庫、エアコン、電気掃除機、オーブン、電子レンジ、洗濯機、ドライヤー、空気清浄器、セットトップボックス、ＴＶボックス(例えば、Ｓａｍｓｕｎｇ  ＨｏｍｅＳｙｎｃＴＭ、Ａｐｐｌｅ  ＴＶＴＭ、又はＧｏｏｇｌｅ  ＴＶＴＭ)、ゲーム機、電子辞書、電子キー、カムコーダ、電子ピクチャーフレームであってもよい。
【００３５】
本発明の実施形態によると、電子デバイスは、医療機器(例えば、ＭＲＡ(Magnetic Resonance Angiography)装置、ＭＲＩ(Magnetic Resonance Imaging)装置、ＣＴ(Computed Tomography)機器、映像機器、又は超音波装置)、ナビゲーション機器、ＧＰＳ(Global Positioning System)受信器、イベントデータレコーダ(Event Data Recorder：ＥＤＲ)、フライトデータレコーダ(Flight Data Recorder：ＦＤＲ)、自動車用インフォテインメント装置、海軍電子装置(例えば、海軍ナビゲーション装置、ジャイロスコープ、又はコンパス)、航空電子機器、セキュリティ機器、産業又は個人用ロボットであってもよい。
【００３６】
本発明の実施形態によると、電子デバイスは、通信機能を有する家具、ビル/構造の一部、電子ボード、電子署名受信器、プロジェクタ、多様な測定装置(例えば、水、電気、ガス、又は電磁波測定装置)であってもよい。
【００３７】
本発明の実施形態によると、電子デバイスは、上記した装置の組み合わせであってもよい。また、本発明の実施形態による電子デバイスは、上記装置に制限されるものではないことは、当該技術分野における通常の知識を持つ者には明らかである。
【００３８】
本発明の多様な実施形態によると、信号送信装置は、ユーザー端末(ＵＥ)又は基地局(ＢＳ）、例えば進化したＮｏｄｅ  Ｂ(以下、“ｅＮＢ”と称する)であり得る。
また、本発明の多様な実施形態によると、信号受信装置は、ＵＥ又は基地局、例えばｅＮＢであり得る。
【００３９】
以下、説明の便宜上、ＵＥは、端末、無線デバイス、及び移動端末(ＭＳ)などと称される。また、基地局は、ｅＮＢ、アクセスポイント(ＡＰ)などと称される。
【００４０】
本発明の一実施形態では、移動通信ネットワークでトラフィック特性に基づいて信号を送受信する装置及び方法を提案する。
【００４１】
さらに、本発明の一実施形態は、移動通信ネットワークでトラフィック特性に適した無線アクセス技術(ＲＡＴ）を使用して信号を送受信する装置及び方法を提案する。
【００４２】
また、本発明の一実施形態は、移動通信ネットワークでダウンリンクに適用されるＲＡＴとアップリンクに適用されるＲＡＴを別途に考慮して信号を送受信する装置及び方法を提案する。
【００４３】
一方、本発明の一実施形態で提案する装置及び方法は、ＬＴＥ(Long-Term  Evolution)移動通信システム、ＬＴＥ-Ａ(LTE-Advanced)移動通信システム、ＬＡＡ(Licensed-Assisted  Access)-ＬＴＥ移動通信システム、高速ダウンリンクパケットアクセス(ＨＳＤＰＡ)移動通信システム、高速アップリンクパケットアクセス(ＨＳＵＰＡ)移動通信システム、３ＧＰＰ２(3rd  Generation  Partnership  Project  2）の高速レートパケットデータ(ＨＲＰＤ)移動通信システム、３ＧＰＰ２の広帯域符号分割多重アクセス(ＷＣＤＭＡ（登録商標）)移動通信システム、３ＧＰＰ２の符号分割多重アクセス(ＣＤＭＡ)移動通信システム、ＩＥＥＥ(Institute  of  Electrical  and  Electronics  Engineers)８０２.１６ｍ通信システム、進化したパケットシステム(ＥＰＳ）、及びモバイルインターネットプロトコル(以下、“Ｍｏｂｉｌｅ  ＩＰ”と称する)システムのような多様な移動通信ネットワークに適用可能である。
【００４４】
以下、本発明の多様な実施形態では、例えばＵＥによりサポート可能なＲＡＴが２個であり、２個のＲＡＴは無線ＬＡＮ(Local Access Network)方式とＬＴＥ方式を含むと仮定する。ここで、無線ＬＡＮ方式は、アンライセンスバンド(unlicensed  band）をサポートするＲＡＴであり、ＬＴＥ方式はライセンスバンド(licensed  band）をサポートするＲＡＴである。
【００４５】
さらに、本発明の多様な実施形態では、例えばｅＮＢによりサポート可能なＲＡＴが２個であり、２個のＲＡＴは無線ＬＡＮ方式とＬＴＥ方式を含むと仮定する。
【００４６】
まず、図１を参照して、本発明の一実施形態による移動通信ネットワークの内部構成について説明する。
【００４７】
図１は、本発明の一実施形態による移動通信ネットワークの内部構成を概略的に示す。
【００４８】
図１を参照すると、移動通信ネットワークは、サーバ１１１、パケットデータネットワーク(ＰＤＮ)ゲートウェイ(ＰＧＷ)１１３、サービングゲートウェイ(ＳＧＷ)１１５、ｅＮＢ１１７、ＵＥ１１９、及びアクセスポイント(ＡＰ)１２１を含む。ここで、ＵＥ１１９は、ＬＴＥ  ＲＡＴを通じてＨＴＴＰ (Hyper  Text  Transfer  Protocol)ビデオアプリケーションを使用中であると仮定する。
【００４９】
まず、移動通信ネットワークでは同一のサービス品質(ＱｏＳ)要求事項を有するインターネットプロトコル(ＩＰ)フロー等の集合であるベアラ単位でエンティティ間の接続が設定される。
【００５０】
一般的な移動通信ネットワークでは、ＵＥ１１９とＰＧＷ１１３との間にＥＰＳベアラが確立され、ＵＥ１１９とｅＮＢ１１７との間にはデータ無線ベアラが確立され、ｅＮＢ１１７とＳＧＷ１１５との間にＳ１ベアラが確立され、ＳＧＷ１１５とＰＧＷ１１３との間にＳ５ベアラが確立される。そして、一般的な移動通信ネットワークでは、ＨＴＴＰビデオアプリケーションのダウンリンク送信制御プロトコル(ＴＣＰ)データパケットとアップリンクＴＣＰ  ＡＣＫ(acknowledgement)パケットは同一のベアラを通じて送受信される(１３１，１３３)。
【００５１】
一方、本発明の一実施形態による移動通信ネットワークでは、ＵＥ１１９とＰＧＷ１１３との間にＥＰＳベアラが確立され、ＵＥ１１９とｅＮＢ１１７との間にデータ無線ベアラが確立され、ｅＮＢ１１７とＳＧＷ１１５との間にＳ１ベアラが確立され、ＳＧＷ１１５とＰＧＷ１１３との間にＳ５ベアラが確立される。さらに、ＵＥ１１９とＳＧＷ１１５との間にＡＰ１２１を通じてダウンリンクベアラが確立される。
【００５２】
したがって、本発明の一実施形態では、ＨＴＴＰビデオアプリケーションのアップリンクＴＣＰ  ＡＣＫパケットがＵＥ１１９、ｅＮＢ１１７、ＳＧＷ１１５、ＰＧＷ１１３の間に確立されているアップリンクベアラを通じて伝送される(１４１)。また、本発明の一実施形態では、ＨＴＴＰビデオアプリケーションのダウンリンクＴＣＰデータパケットがＳＧＷ１１５、ＡＰ１２１、ＵＥ１１９の間に確立されているダウンリンクベアラを通じて伝送される(１４３)。すなわち、本発明の一実施形態では、ＨＴＴＰビデオアプリケーションのアップリンクＴＣＰ  ＡＣＫパケットは、ライセンスバンドＲＡＴを使用して伝送され、ＨＴＴＰビデオアプリケーションのダウンリンクＴＣＰデータパケットがアンライセンスバンドＲＡＴを使用して伝送される。
【００５３】
図１では、本発明の一実施形態による移動通信ネットワークの内部構成について説明した。次に、図２を参照して、本発明の一実施形態による移動通信ネットワークでｅＮＢがトラフィック特性に基づいてトラフィック方向別にダウンリンクベアラ及びアップリンクベアラを接続するプロセスについて説明する。
【００５４】
図２は、本発明の一実施形態による移動通信ネットワークでｅＮＢがトラフィック特性に基づいてトラフィック方向別にダウンリンクベアラ及びアップリンクベアラを接続するプロセスを概略的に示す。
【００５５】
図２を参照すると、ステップ２１１において、ｅＮＢは、ベアラの各々に対してアップリンクトラフィックに対するトラフィック特性及びダウンリンクトラフィックに対するトラフィック特性を測定し、ステップ２１３に進む。ここで、トラフィック特性は、パケットサイズ、パケット間の時間間隔(inter-frame  spacing）、ダウンリンクトラフィック対アップリンクトラフィックの比のうち少なくとも一つを含むことができる。
【００５６】
ステップ２１３において、ｅＮＢは、ステップ２１１で測定したトラフィック特性、移動通信サービスプロバイダのポリシー(policy）、及び加入者情報のうち少なくとも一つをもとに確立されているベアラの各々に対してトラフィック方向に従って適合したＲＡＴを決定し、ステップ２１５に進行する。ここで、トラフィック方向は、ダウンリンクとアップリンクを含み、それによってｅＮＢは、ステップ２１１で測定したトラフィック特性、移動通信サービスプロバイダのポリシー、及び加入者情報のうち少なくとも一つに基づいて確立されているベアラの各々に対してダウンリンク及びアップリンクの各々に適したＲＡＴを決定する。
【００５７】
一方、本発明の一実施形態において、トラフィック特性に基づいてトラフィック方向に適合したＲＡＴを決定する方式は、例えばｅＮＢがトラフィックを測定してＲＡＴを決定する方式＃１、移動通信サービスプロバイダがトラフィック特性に対応してＲＡＴを決定する方式＃２、及び移動通信サービスプロバイダが加入者タイプに対応してＲＡＴを決定する方式＃３を含むことができる。それによって、本発明の一実施形態では、方式＃１、方式＃２、方式＃３のうち少なくとも一つに基づいてトラフィック特性に従ってトラフィック方向に適合したＲＡＴを決定できる。方式＃１、方式＃２、及び方式＃３については、以下に具体的に説明するので、ここではその詳細な説明を省略する。
【００５８】
ステップ２１５において、ｅＮＢはベアラの各々に対してダウンリンク及びアップリンク各々に適合したＲＡＴに従ってベアラを確立する。
【００５９】
一方、図２には本発明の一実施形態による移動通信ネットワークでｅＮＢがトラフィック特性に基づいてトラフィック方向別にダウンリンクベアラ及びアップリンクベアラを接続するプロセスを示したが、図２に対して多様な変形が可能であることはもちろんである。一例として、図２に連続するステップを示したが、図２で説明したステップはオーバーラップされたり、並列に発生したり、異なる順序で発生したり、あるいは複数回発生したりしてもよい。
【００６０】
図２では本発明の一実施形態による移動通信ネットワークにおいてｅＮＢがトラフィック特性に基づいてトラフィック方向別にダウンリンクベアラ及びアップリンクベアラを接続するプロセスについて説明し、次に図３を参照して本発明の一実施形態による移動通信ネットワークでｅＮＢがトラフィック特性に基づいてトラフィック方向に適合したＲＡＴを決定するプロセスの一例について説明する。
【００６１】
図３は、本発明の一実施形態による移動通信ネットワークでｅＮＢがトラフィック特性に基づいてトラフィック方向に適合したＲＡＴを決定するプロセスの一例を概略的に示す。
【００６２】
図３を参照すれば、ステップ３１１において、ｅＮＢは、該当ベアラに対するダウンリンク(又はアップリンク)トラフィックを予め定められているＲＡＴ、例えば無線ＬＡＮ方式を通じてサービスする場合、予想されるアグリゲーションサイズ(aggaregation  size)の期待値を計算し、ステップ３１３に進む。ここで、アグリゲーションサイズは、予め設定されている時間でｅＮＢに到達するパケットのパケットサイズの和を示し、アグリゲーションサイズは、ＩＥＥＥ８０２.１１プロトコルのメディアアクセス制御(ＭＡＣ)データプロトコルユニット(ＭＰＤＵ)アグリゲーション(Ａ-ＭＰＤＵ)サイズに対応するサイズである。
【００６３】
ステップ３１３において、ｅＮＢは、計算されたアグリゲーションサイズの期待値が予め設定されているしきい値サイズを超えるか否かを判定する。計算されたアグリゲーションサイズの期待値が予め設定されているしきい値サイズを超える場合、ｅＮＢは、ステップ３１５に進む。ステップ３１５において、ｅＮＢは、該当ベアラに対するダウンリンク(又はアップリンク)トラフィックを無線ＬＡＮを通じて送信する場合、複数のＭＰＤＵが予め設定されているサイズのＭＰＤＵにアグリゲーションされて生成されるＡ-ＭＰＤＵを送信することによって送信効率が向上することを期待できる。したがって、ステップ３１５において、ｅＮＢは、該当ベアラに対するダウンリンク(又はアップリンク)トラフィックを無線ＬＡＮ方式で送受信するのに適すると判定する。
【００６４】
一方、ステップ３１３で、計算されたアグリゲーションサイズの期待値がしきい値サイズを超えない場合、すなわち計算されたアグリゲーションサイズの期待値がしきい値サイズ以下である場合、ｅＮＢは、ステップ３１７に進む。ステップ３１７において、ｅＮＢは、該当ベアラに対するダウンリンク(又はアップリンク)トラフィックを無線ＬＡＮを介して送信する場合、十分なサイズのＡ-ＭＰＤＵが生成されないと予想し、それによってシステムの送信効率が低下すると予想する。したがって、ステップ３１７において、ｅＮＢは、該当ベアラに対するダウンリンク(又はアップリンク)トラフィックを無線ＬＡＮ方式でなく、他のＲＡＴ、例えばＬＴＥ方式を通じて送受信するのに適すると決定する。
一方、図３は本発明の一実施形態による移動通信ネットワークでｅＮＢがトラフィック特性に基づいてトラフィック方向に適合したＲＡＴを決定するプロセスの一例を示したが、図３に対して多様な変形が可能であることはもちろんである。一例として、図３に連続的なステップを示しているが、図３で説明したステップは、オーバーラップされたり、並列に発生したり、異なる順序で発生したり、あるいは複数回発生したりしてもよい。
【００６５】
図３では、本発明の一実施形態による移動通信ネットワークでｅＮＢがトラフィック特性に基づいてトラフィック方向に適合したＲＡＴを決定するプロセスの一例について説明した。次に、図４を参照して、本発明の一実施形態による移動通信ネットワークでｅＮＢがトラフィック特性に基づいてトラフィック方向に適したＲＡＴを決定するプロセスの他の例について説明する。
【００６６】
図４は、本発明の一実施形態による移動通信ネットワークでｅＮＢがトラフィック特性に基づいてトラフィック方向に適合したＲＡＴを決定するプロセスの他の例を概略的に示す。
【００６７】
図４を参照すると、ステップ４１１において、ｅＮＢは、該当ベアラに対するダウンリンクトラフィック対アップリンクトラフィックの比を計算し、ステップ４１３に進む。ステップ４１３において、ｅＮＢは、計算したダウンリンクトラフィック対アップリンクトラフィックの比が予め設定されているしきい値のダウンリンクトラフィック対アップリンクトラフィックの比を超えるか否かを判定する。ここで、計算したダウンリンクトラフィック対アップリンクトラフィックの比がしきい値ダウンリンクトラフィック対アップリンクトラフィックの比を超える場合、ＨＴＴＰビデオ、ＨＴＴＰオーディオ、ソフトウェアアップデート、Ａｎｄｒｏｉｄマーケットのようなｄｏｗｎｌｏａｄ-ｄｏｍｉｎａｔｅｄアプリケーションで発生する。ｄｏｗｎｌｏａｄ-ｄｏｍｉｎａｔｅｄアプリケーションは、ダウンリンクトラフィック量がアップリンクトラフィック量に比べて相対的に非常に大きいアプリケーション、すなわち大部分のトラフィックがダウンロードトラフィックであるアプリケーションを示す。
【００６８】
ステップ４１３において、判定結果、計算したダウンリンクトラフィック対アップリンクトラフィックの比がしきい値ダウンリンクトラフィック対アップリンクトラフィックの比を超える場合、ｅＮＢは、ステップ４１５に進行する。ステップ４１５で、ｅＮＢは、計算したダウンリンクトラフィック対アップリンクトラフィックの比がしきい値ダウンリンクトラフィック対アップリンクトラフィックの比を超える場合、アップリンクトラフィックが大部分送信制御プロトコル(ＴＣＰ)認知(ＡＣＫ)パケットであるため、該当ベアラに対するダウンリンクトラフィックを無線ＬＡＮ方式を通じて送受信するのに適すると決定し、該当ベアラに対するアップリンクトラフィックをＬＴＥ方式で送受信するのに適すると決定する。
【００６９】
一方、４１３において、計算したダウンリンクトラフィック対アップリンクトラフィックの比がしきい値ダウンリンクトラフィック対アップリンクトラフィックの比を超えない場合、すなわち計算したダウンリンクトラフィック対アップリンクトラフィックの比がしきい値ダウンリンクトラフィック対アップリンクトラフィックの比以下である場合、ｅＮＢは、ステップ４１７に進む。ステップ４１７において、ｅＮＢは、計算したダウンリンクトラフィック対アップリンクトラフィックの比がしきい値ダウンリンクトラフィック対アップリンクトラフィックの比以下であるので、該当ベアラを通じて送受信されるトラフィックがｄｏｗｎｌｉｎｋ-ｄｏｍｉｎａｔｅｄアプリケーションでないと判定し、該当ベアラに対するダウンリンクトラフィック及びアップリンクトラフィックを両方とも無線ＬＡＮ方式で送受信するのに適すると判定する。
【００７０】
一方、図４では本発明の一実施形態による移動通信ネットワークでｅＮＢがトラフィック特性に基づいてトラフィック方向に適合したＲＡＴを決定するプロセスの他の例を示したが、図４に対して多様な変形が可能であることはもちろんである。例えば、図４には連続するステップを示したが、図４で説明したステップはオーバーラップされたり、並列に発生したり、異なる順序で発生したり、あるいは複数回発生したりしてもよい。
【００７１】
図４では、本発明の一実施形態による移動通信ネットワークでｅＮＢがトラフィック特性に基づいてトラフィック方向に適合したＲＡＴを決定するプロセスの他の例について説明した。次に、図５を参照して、本発明の一実施形態による移動通信ネットワークで移動通信サービスプロバイダがトラフィック特性に適したＲＡＴを決定するプロセスについて説明する。
【００７２】
図５は、本発明の一実施形態による移動通信ネットワークで移動通信サービスプロバイダがトラフィック特性に基づいてトラフィック方向に適合したＲＡＴを決定するプロセスを概略的に示す。
【００７３】
図５を参照すると、移動通信ネットワークは、ＵＥ５１１、ｅＮＢ５１３、移動性管理エンティティ(Mobility  Management  Entity：ＭＭＥ)５１５、ＳＧＷ５１７、ＰＧＷ５１９、及びポリシー及び課金規則機能(Policy  and  Charging  Rules  Function：ＰＣＲＦ)エンティティ５２１を含む。
【００７４】
ＰＣＲＦエンティティ５２１は、移動通信サービスプロバイダを含み、ＰＣＲＦエンティティ５２１は事前調査を通じて特定のサービスに対するトラフィックパターンを分析した後、特定サービスのトラフィック方向(アップリンク又はダウンリンク)に適合したＲＡＴに対するポリシーを予め決定できる。例えば、ＨＴＴＰビデオ、ＨＴＴＰオーディオ、ソフトウェアアップデート、及びＡｎｄｒｏｉｄマーケットのようなｄｏｗｎｌｉｎｋ-ｄｏｍｉｎａｔｅｄアプリケーションに対するアップリンクでは無線ＬＡＮ方式を通じて信号を送受信する場合にシステム効率性が低下し、それによって移動通信サービスプロバイダは、ｄｏｗｎｌｉｎｋ-ｄｏｍｉｎａｔｅｄアプリケーションに対するアップリンクでは常にＬＴＥ方式で信号を送受信するようにポリシーを予め決定できる。
【００７５】
さらに、ＰＣＲＦエンティティ５２１は、ＩＰフローの各々が特定ベアラに割り当てられるようにフィルタリング規則を管理する。したがって、ＰＣＲＦエンティティ５２１は、フィルタリング規則を用いてｄｏｗｎｌｉｎｋ-ｄｏｍｉｎａｔｅｄアプリケーションを特定ベアラを通じて送受信されるように決定し、特定ベアラに対するアップリンクに対して無線ＬＡＮ方式で信号を送受信できないポリシーを決定できる。
【００７６】
また、ＰＣＲＦエンティティ５２１は、事前調査を通じて特定特性を有するサービスに対してトラフィック方向(アップリンク又はダウンリンク)に適合したＲＡＴに対するポリシーを予め決定できる。例えば、モバイル金融又はモバイル証券取引、あるいは電子商取引のような金融サービスの場合にはサービスの特性上アップリンクを介してユーザーの個人情報、暗号、信用情報のように比較的高い信頼性又は比較的高いセキュリティを要求する信号が送信され得る。したがって、モバイル金融又はモバイル証券取引、あるいは電子商取引のような金融サービスなどのトラフィックに対するアップリンクでは無線ＬＡＮ方式よりはＬＴＥ方式で信号を送受信することで、比較的高い信頼性又は比較的高いセキュリティが保証され得る。
【００７７】
したがって、ＰＣＲＦエンティティ５２１は、特定ＩＰフローが特定ベアラに割り当てられるようにするフィルタリング規則を用いて金融サービスが特定ベアラを通じてサービスされるようにマッピングし、特定の該当ベアラに対するアップリンクではＬＴＥ方式を通じて信号を送受信するポリシーを決定できる。
【００７８】
ＵＥ５１１は、参加(attach)リクエストが必要であることを検出する場合、ステップ５２３で、ｅＮＢ５１３にａｔｔａｃｈリクエスト(以下、“ａｔｔａｃｈ  ｒｅｑｕｅｓｔ”)メッセージを送信する。ＵＥ５１１からａｔｔａｃｈ  ｒｅｑｕｅｓｔメッセージを受信する場合、ｅＮＢ５１３は、ステップ５２５で、ＭＭＥ５１５にａｔｔａｃｈ  ｒｅｑｕｅｓｔメッセージを送信する。
【００７９】
ｅＮＢ５１３からａｔｔａｃｈ  ｒｅｑｕｅｓｔメッセージを受信したＭＭＥ５１５は、ステップ５２７で、新たなセッションが生成する必要のあることを検出し、ＳＧＷ５１７にセッション生成リクエスト(ｃｒｅａｔｅ  ｓｅｓｓｉｏｎ  ｒｅｑｕｅｓｔ)メッセージを送信する。ＭＭＥ５１５からｃｒｅａｔｅ  ｓｅｓｓｉｏｎ  ｒｅｑｕｅｓｔメッセージを受信したＳＧＷ５１７は、ステップ５２９で、ＰＧＷ５１９にｃｒｅａｔｅ  ｓｅｓｓｉｏｎ  ｒｅｑｕｅｓｔメッセージを送信する。
【００８０】
ＳＧＷ５１７からｃｒｅａｔｅ  ｓｅｓｓｉｏｎ  ｒｅｑｕｅｓｔメッセージを受信したＰＧＷ５１９は、ステップ５３１で、ＰＣＲＦエンティティ５２１にＣＣ(Credit  Control)リクエスト(以下、“ＣＣ-ｒｅｑｕｅｓｔ”と称する)メッセージを送信する。
【００８１】
ＰＧＷ５１９からＣＣ-ｒｅｑｕｅｓｔメッセージを受信したＰＣＲＦエンティティ５２１は、該当ベアラに対してトラフィック方向別に適合したＲＡＴに対するポリシーであるｐｅｒ-ｂｅａｒｅｒ  ｓｅｐａｒａｔｉｏｎポリシーを決定する。ここで、ｐｅｒ-ｂｅａｒｅｒ  ｓｅｐａｒａｔｉｏｎポリシーは、例えばベアラ識別子(ＩＤ)、アップリンクに最適なＲＡＴを示すアップリンク最適ＲＡＴ情報、ダウンリンクに最適なＲＡＴを示すダウンリンク最適ＲＡＴ情報、アップリンクに適合しないＲＡＴを示すアップリンク非適合ＲＡＴ情報、及びダウンリンクに適合しないＲＡＴを示すダウンリンク非適合ＲＡＴ情報のうち少なくとも一つを含むことができる。
【００８２】
その後、ＰＣＲＦエンティティ５２１は、ステップ５３３で、ＣＣ-ｒｅｑｕｅｓｔメッセージに対する応答メッセージであるＣＣ応答(以下、“ＣＣ-ｒｅｓｐｏｎｓｅ”と称する)メッセージに決定されたｐｅｒ-ｂｅａｒｅｒ  ｓｅｐａｒａｔｉｏｎポリシーを含めた後、ＣＣ-ｒｅｓｐｏｎｓｅメッセージをＰＧＷ５１９に送信する。
【００８３】
ＰＣＲＦエンティティ５２１からＣＣ-ｒｅｓｐｏｎｓｅメッセージを受信したＰＧＷ５１９は、ステップ５３５で、ＳＧＷ５１７にｐｅｒ-ｂｅａｒｅｒ  ｓｅｐａｒａｔｉｏｎポリシー を含むセッション生成応答(以下、“ｃｒｅａｔｅ  ｓｅｓｓｉｏｎ  ｒｅｓｐｏｎｓｅ”と称する)メッセージを送信する。ＰＧＷ５１９からｃｒｅａｔｅ  ｓｅｓｓｉｏｎ  ｒｅｓｐｏｎｓｅeメッセージを受信したＳＧＷ５１７は、ステップ５３７で、ＭＭＥ５１５にｐｅｒ-ｂｅａｒｅｒ  ｓｅｐａｒａｔｉｏｎポリシーを含むｃｒｅａｔｅ  ｓｅｓｓｉｏｎ  ｒｅｓｐｏｎｓｅメッセージを送信する。
【００８４】
ＳＧＷ５１７からｃｒｅａｔｅ  ｓｅｓｓｉｏｎ  ｒｅｓｐｏｎｓｅメッセージを受信したＭＭＥ５１５は、ステップ５３９で、ｐｅｒ-ｂｅａｒｅｒ  ｓｅｐａｒａｔｉｏｎポリシーを含む初期コンテキストセットアップリクエスト(以下、ｉｎｉｔｉａｌ  ｃｏｎｔｅｘｔ  ｓｅｔｕｐ  ｒｅｑｕｅｓｔ)/ａｔｔａｃｈ  ａｃｃｅｐｔメッセージを送信する。ＭＭＥ５１５からｉｎｉｔｉａｌ  ｃｏｎｔｅｘｔ  ｓｅｔｕｐ  ｒｅｑｕｅｓｔ/ａｔｔａｃｈ  ａｃｃｅｐｔメッセージを受信したｅＮＢ５１３は、ｉｎｉｔｉａｌ  ｃｏｎｔｅｘｔ  ｓｅｔｕｐ  ｒｅｑｕｅｓｔ/ａｔｔａｃｈ  ａｃｃｅｐｔメッセージに含まれているｐｅｒ-ｂｅａｒｅｒ  ｓｅｐａｒａｔｉｏｎポリシーに基づいて該当ベアラに対するトラフィック方向別に適合したＲＡＴを判定し、この判定結果に基づいて該当ベアラに対するポリシーを決定できる。ｅＮＢ５１３は、ステップ５４１で、決定したポリシーをインストールした後、ステップ５４３で、ＵＥ５１１に無線リソース制御(ＲＲＣ)接続再構成(以下、ＲＲＣ  ｃｏｎｎｅｃｔｉｏｎ  ｒｅｃｏｎｆｉｇｕｒａｔｉｏｎ)/ａｔｔａｃｈ  ａｃｃｅｐｔメッセージを送信する。
【００８５】
一方、図５では、ＵＥ５１１が参加する場合、生成されるベアラに対してｅＮＢ５１３がポリシーを決定した後にインストールする場合について説明したが、ＰＧＷ５１９のような他のエンティティにより専用ベアラがアクティブされる場合、あるいはベアラアップデートが発生する場合のような多様な場合でＰＣＲＦエンティティ５２１からｅＮＢ５１３に転送されるメッセージにも図５で説明したようなプロセスが適用可能である。
【００８６】
一方、図５に本発明の一実施形態による移動通信ネットワークで移動通信サービスプロバイダがトラフィック特性に基づいてトラフィック方向に適合したＲＡＴを決定するプロセスを示したが、図５に対して多様な変形が可能であることはもちろんである。例えば、図５には連続するステップが示されているが、図５で説明したステップはオーバーラップされたり、並列に発生したり、異なる順序で発生したり、あるいは複数回発生したりしてもよい。
【００８７】
図５では本発明の一実施形態による移動通信ネットワークで移動通信サービスプロバイダがトラフィック特性に基づいてトラフィック方向に適合したＲＡＴを決定するプロセスについて説明した。次に、図６を参照して本発明の一実施形態による移動通信ネットワークで移動通信サービスプロバイダが加入者タイプに従ってトラフィック方向に適合したＲＡＴを決定するプロセスについて説明する。
【００８８】
図６は、本発明の一実施形態による移動通信ネットワークで移動通信サービスプロバイダが加入者タイプに従ってトラフィック方向に適合したＲＡＴを決定するプロセスを概略的に示す。
【００８９】
図６を参照すると、移動通信ネットワークは、ＵＥ６１１、ｅＮＢ６１３、ＭＭＥ６１５、ＳＧＷ６１７、ＰＧＷ６１９、及びホーム加入者サーバ(ＨＳＳ)６２１を含む。
【００９０】
ＵＥ６１１は、ａｔｔａｃｈリクエストが必要であることを検出する場合、ステップ６２３で、ｅＮＢ６１３にａｔｔａｃｈ  ｒｅｑｕｅｓｔメッセージを送信する。ＵＥ６１１からａｔｔａｃｈ  ｒｅｑｕｅｓｔメッセージを受信する場合、ｅＮＢ６１３は、ステップ６２５で、ＭＭＥ６１５にａｔｔａｃｈ  ｒｅｑｕｅｓｔメッセージを送信する。
【００９１】
ｅＮＢ６１３からａｔｔａｃｈ  ｒｅｑｕｅｓｔメッセージを受信したＭＭＥ６１５は、ステップ６２７で、ＨＳＳ６２１に認証情報リクエスト(以下、ａｕｔｈｅｎｔｉｃａｔｉｏｎ  ｉｎｆｏｒｍａｔｉｏｎ  ｒｅｑｕｅｓｔ)メッセージを送信する。
【００９２】
ＭＭＥ６１５からａｕｔｈｅｎｔｉｃａｔｉｏｎ  ｉｎｆｏｒｍａｔｉｏｎ  ｒｅｑｕｅｓｔメッセージを受信したＨＳＳ６２１は、ＵＥ６１１に対する加入者情報に基づいて該当ベアラに対するトラフィック方向、すなわちダウンリンクトラフィック及びアップリンクトラフィックに適合したＲＡＴに対するポリシーであるｐｅｒ-ｓｕｂｓｃｒｉｂｅｒ  ｓｅｐａｒａｔｉｏｎポリシーを検出する。このｐｅｒ-ｓｕｂｓｃｒｉｂｅｒ  ｓｅｐａｒａｔｉｏｎポリシーは、例えば加入者ＩＤ、アップリンクに最適なＲＡＴを示すアップリンク最適ＲＡＴ情報、ダウンリンクに最適なＲＡＴを示すダウンリンク最適ＲＡＴ情報、アップリンクに適合しないＲＡＴを示すアップリンク非適合ＲＡＴ情報、及びダウンリンクに適合しないＲＡＴを示すダウンリンク非適合ＲＡＴ情報のうち少なくとも一つを含むことができる。
【００９３】
すると、ＨＳＳ６２１は、ａｕｔｈｅｎｔｉｃａｔｉｏｎ  ｉｎｆｏｒｍａｔｉｏｎ  ｒｅｑｕｅｓｔメッセージに対する応答メッセージである認証情報応答(以下、ａｕｔｈｅｎｔｉｃａｔｉｏｎ  ｉｎｆｏｒｍａｔｉｏｎ  ｒｅｓｐｏｎｓｅ)メッセージに検出されたｐｅｒ-ｓｕｂｓｃｒｉｂｅｒ  ｓｅｐａｒａｔｉｏｎポリシーを含めた後、ステップ６２９で、ａｕｔｈｅｎｔｉｃａｔｉｏｎ  ｉｎｆｏｒｍａｔｉｏｎ  ｒｅｓｐｏｎｓｅメッセージをＭＭＥ６１５に送信する。
【００９４】
ＨＳＳ６２１からａｕｔｈｅｎｔｉｃａｔｉｏｎ  ｉｎｆｏｒｍａｔｉｏｎ  ｒｅｓｐｏｎｓｅメッセージを受信したＭＭＥ６１５は、ステップ６３１で、ｐｅｒ-ｓｕｂｓｃｒｉｂｅｒ  ｓｅｐａｒａｔｉｏｎポリシーを含むｉｎｉｔｉａｌ  ｃｏｎｔｅｘｔ  ｓｅｔｕｐ  ｒｅｑｕｅｓｔ/ａｔｔａｃｈ  ａｃｃｅｐｔメッセージをｅＮＢ６１３に送信する。ＭＭＥ６１５からｉｎｉｔｉａｌ  ｃｏｎｔｅｘｔ  ｓｅｔｕｐ  ｒｅｑｕｅｓｔ/ａｔｔａｃｈ  ａｃｃｅｐｔメッセージを受信したｅＮＢ６１３は、ｉｎｉｔｉａｌ  ｃｏｎｔｅｘｔ  ｓｅｔｕｐ  ｒｅｑｕｅｓｔ/ａｔｔａｃｈ  ａｃｃｅｐｔメッセージに含まれているｐｅｒ-ｂｅａｒｅｒ  ｓｅｐａｒａｔｉｏｎポリシー をもとに該当ベアラに対するトラフィック方向別に適合したＲＡＴを判定し、この判定結果に基づいて該当ベアラに対するポリシーを決定できる。ｅＮＢ５１３は、ステップ６３３で決定したポリシーをインストールした後、ステップ６３５で、ＵＥ６１１にＲＲＣ  ｃｏｎｎｅｃｔｉｏｎ  ｒｅｃｏｎｆｉｇｕｒａｔｉｏｎ/ａｔｔａｃｈ  ａｃｃｅｐｔメッセージを送信する。
【００９５】
一方、図６に本発明の一実施形態による移動通信ネットワークで移動通信サービスプロバイダが加入者タイプに従ってトラフィック方向に適合したＲＡＴを決定するプロセスを示したが、図６に対して多様な変形が可能であることはもちろんである。例えば、図６には連続するステップが示されているが、図６で説明したステップは、オーバーラップされたり、並列に発生したり、他の順序で発生したり、あるいは複数回発生したりしてもよい。
【００９６】
図６では本発明の一実施形態による移動通信ネットワークで移動通信サービスプロバイダが加入者タイプに従ってトラフィック方向に適合したＲＡＴを決定するプロセスについて説明した。次に、図７を参照して、本発明の一実施形態による移動通信ネットワークでベアラ構成の一例について説明する。
【００９７】
図７は、本発明の一実施形態による移動通信ネットワークでベアラの構成の一例を概略的に示す。
【００９８】
図７を説明するに先立って、図７に示すベアラ構成は、移動通信ネットワークがＬＴＥ移動通信システムである場合のベアラ構成であることに留意しなければならない。
ＬＴＥ移動通信システムは、該当エンティティ、例えばＵＥとＵＥの相手側であるビデオストリーミングサーバとの間のエンドツーエンドサービス(end-to-end  service)に対して予め設定されているレベルのＱｏＳを保証するために多様なベアラサービスを定義する。エンドツーエンドサービスは、ＬＴＥ移動通信システムで多様なネットワークエンティティを通じて進化した全世界地上アクセスネットワーク(Evolved  Universal  Terrestrial  Access  Network：Ｅ-ＵＴＲＡＮ)、進化したパケットコア(ＥＰＣ）のような多数の区間で提供される。
【００９９】
また、ＥＰＳでデータ送信サービスは、ＥＰＳベアラを通じて提供され、ＥＰＳベアラは、ＬＴＥシステムでＱｏＳを適用する基本単位である。ＥＰＳベアラは、進化した無線アクセスベアラ(Ｅ-ＲＡＢ)とＳ５ベアラに区分され、Ｅ-ＲＡＢは、無線ベアラとＳ１ベアラに区分される。
【０１００】
また、ＵＥとｅＮＢとの間では無線ベアラが使用され、ｅＮＢとＳＧＷとの間ではＳ１ベアラが使用される。ＳＧＷとＰＧＷとの間ではＳ５ベアラが使用される。このとき、ＥＰＳベアラとＥ-ＲＡＢ、Ｓ５ベアラは１対１で対応し、Ｅ-ＲＡＢと無線ベアラ、Ｓ１ベアラも１対１で対応する。
【０１０１】
図７では、本発明の一実施形態による移動通信ネットワークでベアラ構成の一例について説明した。次に、図８を参照して、本発明の一実施形態による移動通信ネットワークでベアラ構成の他の例について説明する。
【０１０２】
図８は、本発明の一実施形態による移動通信ネットワークでベアラ構成の他の例を概略的に示す。
【０１０３】
図８を説明するに先立って、図８に示すベアラ構成は、移動通信ネットワークがＬＴＥ移動通信システムである場合のベアラ構成であることに留意しなければならない。
【０１０４】
図８を参照すれば、まず図８に示すベアラ構成は、図７に示すベアラ構成が含まれているＥＰＳベアラをそのまま維持しつつ追加してＳ１ベアラと無線ベアラをさらに含む。
すなわち、ＥＰＳベアラとＥ-ＲＡＢ、Ｓ５ベアラは１対１で対応し、Ｅ-ＲＡＢと無線ベアラ、Ｓ１ベアラも１対１で対応する。
【０１０５】
すなわち、ＥＰＳベアラとＳ５の１対１の対応関係は、そのまま維持しているが、Ｅ-ＲＡＢ領域に該当するデータ無線ベアラ(ＤＲＢ)とＳ１ベアラを追加に生成し、ＬＴＥ移動通信システムに接続される既存の無線ベアラとＳ１ベアラにはアップリンクＩＰフローを対応させ、無線ＬＡＮに接続される新たなデータ無線ベアラとＳ１ベアラにはダウンリンクＩＰフローを対応させる。
【０１０６】
したがって、図８に示すベアラ構成は、ＥＰＳベアラと無線ベアラ、Ｓ１ベアラが１対１の割合で管理される図７に示したベアラ構成とは違い、ＥＰＳベアラと無線ベアラ、Ｓ１ベアラが１対２の割合で管理されるという差がある。
【０１０７】
図８では、本発明の一実施形態による移動通信ネットワークでベアラ構成の他の例について説明した。次に、図９Ａ及び図９Ｂを参照して、図８に示したベアラ構成による移動通信ネットワークでベアラを接続するプロセスについて説明する。
【０１０８】
図９Ａ及び図９Ｂは、図８に示したベアラの構成をよる移動通信ネットワークでベアラを接続するプロセスを概略的に示す。
【０１０９】
図９Ａ及び図９Ｂを参照すると、移動通信ネットワークは、ＵＥ９１１、ｅＮＢ９１３、ＡＰ９１５、ＭＭＥ９１７、ＳＧＷ９１９、及びＰＧＷ９２１を含む。
【０１１０】
ＵＥ９１１とｅＮＢ９１３との間にはデータ無線ベアラが確立され(９２３)、ｅＮＢ９１３とＳＧＷ９１９との間にはＳ１ベアラが確立され(９２５)、ＳＧＷ９１９とＰＧＷ９２１との間にはＳ５ベアラが確立されている(９２７)と仮定する。
【０１１１】
ＵＥ９１１は、ステップ９２９で、ｅＮＢ９１３に測定報告(以下、“ｍｅａｓｕｒｅｍｅｎｔ  ｒｅｐｏｒｔ”と称する)メッセージを送信する。ｍｅａｓｕｒｅｍｅｎｔ  ｒｅｐｏｒｔメッセージは、ＵＥ９１１で測定した隣接セルの各々に対する測定結果を含む。ここで、隣接セルの各々に対する測定結果は、ＵＥ９１１が隣接セルから各々送信される基準信号に基づいて測定したチャンネル品質情報は例えば受信信号コード電力(ＲＳＣＰ）、基準信号受信電力(ＲＳＲＰ）、基準信号強度インジケータ(ＲＳＳＩ)、基準信号受信品質(ＲＳＲＱ）、キャリア対干渉雑音比(ＣＩＮＲ)、信号対雑音比(ＳＮＲ)、及びブロックエラーレート(ＢＬＥＲ)などのような多様なメトリック(ｍｅｔｒｉｃ)のうちいずれか一つであり得る。
【０１１２】
ＵＥ９１１からｍｅａｓｕｒｅｍｅｎｔ  ｒｅｐｏｒｔメッセージを受信したｅＮＢ９１３は、ステップ９３１で、受信したｍｅａｓｕｒｅｍｅｎｔ  ｒｅｐｏｒｔメッセージに基づいてＵＥ９１１と確立されているベアラのダウンリンク及びアップリンクの各々に対して適用するＲＡＴを決定する。ｅＮＢ９１３がＵＥ９１１と確立されているベアラのダウンリンク及びアップリンクの各々に対して異なるＲＡＴを適用するか否かを判定する動作について、図２のステップ２１３での説明と同様なので、ここではその詳細な説明を省略する。ここで、ｅＮＢ９１３は、ダウンリンクに対して無線ＬＡＮ方式を適用し、アップリンクに対してはＬＴＥ方式を適用することに決定すると仮定する。
【０１１３】
ｅＮＢ９１３は、ステップ９３３で、ＡＰ９１５にセカンダリｅＮＢ(ＳｅＮＢ)追加要求(以下、“ＳｅＮＢ  ａｄｄｉｔｉｏｎ  ｒｅｑｕｅｓｔ”と称する)メッセージを送信する。ここで、ＳｅＮＢ  ａｄｄｉｔｉｏｎ  ｒｅｑｕｅｓｔメッセージは、複数のパラメータ、例えばＳｅＮＢ  ＵＥ  ＡＭＢＲ(Aggregate  Maximum  Bit  Rate）、Ｅ-ＲＡＢｓ  Ｔｏ  Ｂｅ  Ａｄｄｅｄ  Ｌｉｓｔ{Ｅ-ＲＡＢ  ＩＤ、Ｅ-ＲＡＢ  Ｌｅｖｅｌ  ＤＬ  ＱｏＳ  Ｐａｒａｍｅｔｅｒ}などを含むことができる。Ｅ-ＲＡＢｓ  Ｔｏ  Ｂｅ  Ａｄｄｅｄ  Ｌｉｓｔは、追加されるＥ-ＲＡＢなどのリストを示し、該当Ｅ-ＲＡＢのＥ-ＲＡＢ  ＩＤ、Ｅ-ＲＡＢ  Ｌｅｖｅｌ  ＤＬ  ＱｏＳ  Ｐａｒａｍｅｔｅｒを含む。
【０１１４】
ｅＮＢ９１３からＳｅＮＢ  ａｄｄｉｔｉｏｎ  ｒｅｑｕｅｓｔメッセージを受信したＡＰ９１５は、ＳｅＮＢ  ａｄｄｉｔｉｏｎ  ｒｅｑｕｅｓｔメッセージに基づいてＡＰ９１５自身がサービスを提供しているＵＥのトラフィック状態と、アンライセンスバンドの余裕チャンネルなどを考慮してａｄｍｉｓｓｉｏｎ制御(以下、“ａｄｍｉｓｓｉｏｎ  ｃｏｎｔｒｏｌ”と称する)プロセスを実行し、ステップ１０３０で、ｅＮＢ９１３にａｄｍｉｓｓｉｏｎ  ｃｏｎｔｒｏｌプロセスに対する結果を含むＳｅＮＢ追加リクエストＡＣＫ(以下、“ＳｅＮＢ  ａｄｄｉｔｉｏｎ  ｒｅｑｕｅｓｔ  ＡＣＫ”と称する)メッセージを送信する。ここで、ＳｅＮＢ  ａｄｄｉｔｉｏｎ  ｒｅｑｕｅｓｔ  ＡＣＫメッセージは、Ｅ-ＲＡＢｓ  Ａｄｍｉｔｔｅｄ  Ｔｏ  Ｂｅ  Ａｄｄｅｄ  Ｌｉｓｔ、Ｅ-ＲＡＢｓ  Ｎｏｔ  Ａｄｍｉｔｔｅｄ  Ｌｉｓｔ、及びＵＥ９１１が無線ＬＡＮ方式が適用される場合に使用するダウンリンクデータベアラに対するＩＤであるダウンリンクデータベアラＩＤ(以下、“ＤＬ  ＤＲＢ  ＩＤ”と称する)を含む。
【０１１５】
ＡＰ９１５からＳｅＮＢ  ａｄｄｉｔｉｏｎ  ｒｅｑｕｅｓｔ  ＡＣＫメッセージを受信したｅＮＢ９１３は、ステップ９３７で、ＵＥ９１１にＲＲＣ  ｃｏｎｎｅｃｔｉｏｎ  ｒｅｃｏｎｆｉｇｕｒａｔｉｏｎメッセージを送信する。ＲＲＣ  ｃｏｎｎｅｃｔｉｏｎ  ｒｅｃｏｎｆｉｇｕｒａｔｉｏｎメッセージは、ＥＰＳベアラＩＤ、ＵＬ  ＬＴＥ  ＤＲＢ  ＩＤ、及びＤＬ  ＷＬＡＮ  ＤＲＢ  ＩＤを含む。ＲＲＣ  ｃｏｎｎｅｃｔｉｏｎ  ｒｅｃｏｎｆｉｇｕｒａｔｉｏｎメッセージは、ｅＮＢ９１３がＵＥ９１１に予め設定されているＥＰＳベアラＩＤに該当するアップリンクＩＰフローに対してＵＬ  ＬＴＥ  ＤＲＢ  ＩＤを有するデータ無線ベアラを通じてＵＥ９１１へ送信し、ＥＰＳベアラＩＤに該当するダウンリンクＩＰフローに対してはＤＬ  ＷＬＡＮ  ＤＲＢ  ＩＤを有するデータ無線ベアラを通じて送信するように指示するために使用される。
【０１１６】
ｅＮＢ９１３からＲＲＣ  ｃｏｎｎｅｃｔｉｏｎ  ｒｅｃｏｎｆｉｇｕｒａｔｉｏｎメッセージを受信したＵＥ９１１は、ステップ９３８で、ＲＲＣ  ｃｏｎｎｅｃｔｉｏｎ  ｒｅｃｏｎｆｉｇｕｒａｔｉｏｎメッセージに基づいてＡＰ９１５と新たなデータ無線ベアラを生成し、ＥＰＳベアラＩＤに該当するダウンリンクＩＰフローに該当するトラフィック及びアップリンクＩＰフローに該当するトラフィックで使用するＲＡＴを設定する。その後、ＵＥ９１１は、ステップ９３９で、ｅＮＢ９１３にＲＲＣ  ｃｏｎｎｅｃｔｉｏｎ  ｒｅｃｏｎｆｉｇｕｒａｔｉｏｎメッセージに対する応答メッセージであるＲＲＣ接続再構成完了(以下、“ｃｏｎｎｅｃｔｉｏｎ  ｒｅｃｏｎｆｉｇｕｒａｔｉｏｎ  ｃｏｍｐｌｅｔｅ”)メッセージを送信する。
【０１１７】
ＵＥ９１１からＲＲＣ  ｃｏｎｎｅｃｔｉｏｎ  ｒｅｃｏｎｆｉｇｕｒａｔｉｏｎ  ｃｏｍｐｌｅｔｅメッセージを受信したｅＮＢ９１３は、ステップ９４１で、ＡＰ９１５にＳｅＮＢ再構成完了(以下、“ｒｅｃｏｎｆｉｇｕｒａｔｉｏｎ  ｃｏｍｐｌｅｔｅ”) メッセージを送信する。ここで、ＳｅＮＢ  ｒｅｃｏｎｆｉｇｕｒａｔｉｏｎ  ｃｏｍｐｌｅｔｅメッセージは、ＡＰ１９５にＵＥ９１１の接続再構成が成功的に完了したことを通知する機能を遂行し、ＵＥ９１１の接続再構成設定情報を含んでもよい。
【０１１８】
また、ｅＮＢ９１３は、ステップ９４３で、ＭＭＥ９１７にＥ-ＲＡＢ分離指示(以下、“Ｅ-ＲＡＢ  ｓｅｐａｒａｔｉｏｎ  ｉｎｄｉｃａｔｉｏｎ”と称する)メッセージを送信する。ここで、Ｅ-ＲＡＢ  ｓｅｐａｒａｔｉｏｎ  ｉｎｄｉｃａｔｉｏｎメッセージは、アップリンクとダウンリンクが相互に異なるＲＡＴが適用され送信されるＥ-ＲＡＢに関する情報、例えば(Ｅ-ＲＡＢ  ＩＤ、トランスポートレイヤアドレス、ＤＬ  ＧＰＲＳトンネリングプロトコル(GPRS  Tunneling  Protocol：ＧＴＰ)トンネルエンドポイントＩＤ(Tunnel  Endpoint  ID：ＴＥＩＤ)を含む。すなわち、Ｅ-ＲＡＢ  ｓｅｐａｒａｔｉｏｎ  ｉｎｄｉｃａｔｉｏｎメッセージは、Ｅ-ＲＡＢ  ｔｏ  ｂｅ  ｓｅｐａｒａｔｅｄ{Ｅ-ＲＡＢ  ＩＤ、ｔｒａｎｓｐｏｒｔ  ｌａｙｅｒ  ａｄｄｒｅｓｓ、ＤＬ  ＧＴＰ  ＴＥＩＤ}、Ｅ-ＲＡＢ  ｎｏｔ  ｔｏ  ｂｅ  ｍｏｄｉｆｉｅｄ{Ｅ-ＲＡＢ  ＩＤ、ｔｒａｎｓｐｏｒｔ  ｌａｙｅｒ  ａｄｄｒｅｓｓ、ＤＬ  ＧＴＰ  ＴＥＩＤ}を含むことができる。つまり、Ｅ-ＲＡＢ  ｓｅｐａｒａｔｉｏｎ  ｉｎｄｉｃａｔｉｏｎメッセージは、ＳＧＷ９１９でＡＰ９１５を通じて新たなダウンリンクＳ１ベアラを生成し、新たに生成されたダウンリンクＳ１ベアラを介してダウンリンクＩＰフローを伝送し、アップリンクＩＰフローは、既存のＳ１ベアラを介して継続して受信されることを示す。ここで、Ｅ-ＲＡＢ  ｓｅｐａｒａｔｉｏｎ  ｉｎｄｉｃａｔｉｏｎメッセージは、３ＧＰＰ  ｄｕａｌ  ｃｏｎｎｅｃｔｉｖｉｔｙ規格に定義されたＥ-ＲＡＢ  ｍｏｄｉｆｉｃａｔｉｏｎ  ｉｎｄｉｃａｔｉｏｎメッセージと同一のフォーマットのパラメータを含むが、 Ｅ-ＲＡＢ  ｍｏｄｉｆｉｃａｔｉｏｎ  ｉｎｄｉｃａｔｉｏｎメッセージは、ＬＴＥ移動通信システムを通過する既存のＥ-ＲＡＢが除去され、新たに生成されたＥ-ＲＡＢを通じてアップリンクＩＰフロー及びダウンリンクＩＰフローが伝送されるという面で異なることに留意しなければならない。
【０１１９】
一方、ｅＮＢ９１３からＥ-ＲＡＢ  ｓｅｐａｒａｔｉｏｎ  ｉｎｄｉｃａｔｉｏｎメッセージを受信したＭＭＥ９１７は、ステップ９４５で、ＳＧＷ９１９にベアラ修正要求(以下、“ｍｏｄｉｆｙ  ｂｅａｒｅｒ  ｒｅｑｕｅｓｔ”と称する)メッセージを送信する。ここで、ｍｏｄｉｆｙ  ｂｅａｒｅｒ  ｒｅｑｕｅｓｔメッセージは、ｂｅａｒｅｒ  ｃｏｎｔｅｘｔ  ｔｏ  ｂｅ  ｍｏｄｉｆｉｅｄ｛ＥＰＳ  ｂｅａｒｅｒ  ＩＤ、Ｓ１  ＡＰ  Ｆ-ＴＥＩＤ(Fully  Qualified  Tunnel  Endpoint  Identifier)}を含む。ＭＭＥ９１７からｍｏｄｉｆｙ  ｂｅａｒｅｒ  ｒｅｑｕｅｓｔメッセージを受信したＳＧＷ９１９は、ステップ９４７で、ｍｏｄｉｆｙ  ｂｅａｒｅｒ  ｒｅｑｕｅｓｔメッセージに含まれているＥ-ＲＡＢ情報をもとにＡＰ９１５を通過するダウンリンクＳ１ベアラを生成し、ｅＮＢ９１３を通過するように設定されたＳ１ベアラを通過するように設定されたダウンリンクＩＰフローをＡＰ９１５を通過するダウンリンクＳ１ベアラを通して送信する。
【０１２０】
その後、ＳＧＷ９１９は、ステップ９４９で、ｍｏｄｉｆｙ  ｂｅａｒｅｒ  ｒｅｑｕｅｓｔメッセージに対する応答メッセージであるベアラ修正応答(ｍｏｄｉｆｙ  ｂｅａｒｅｒ  ｒｅｓｐｏｎｓｅ)メッセージをＭＭＥ９１７に送信する。ｍｏｄｉｆｙ  ｂｅａｒｅｒ  ｒｅｓｐｏｎｓｅメッセージは、ｂｅａｒｅｒ  ｃｏｎｔｅｘｔｓ  ｍｏｄｉｆｉｅｄ{ＥＰＳ  ｂｅａｒｅｒ  ＩＤ}を含むことができる。ＳＧＷ９１９からｍｏｄｉｆｙ  ｂｅａｒｅｒ  ｒｅｓｐｏｎｓｅメッセージを受信したＭＭＥ９１７は、ステップ９５１で、ｅＮＢ９１３にＥ-ＲＡＢ分離指示(以下、“Ｅ-ＲＡＢ  ｓｅｐａｒａｔｉｏｎ  ｉｎｄｉｃａｔｉｏｎ”と称する)メッセージを送信する。ここで、Ｅ-ＲＡＢ  ｓｅｐａｒａｔｉｏｎ  ｉｎｄｉｃａｔｉｏｎメッセージは、Ｅ-ＲＡＢ  ｍｏｄｉｆｙ  ｌｉｓｔ{Ｅ-ＲＡＢ  ＩＤ}を含むことができる。
【０１２１】
ＭＭＥ９１７からＥ-ＲＡＢ  ｓｅｐａｒａｔｉｏｎ  ｉｎｄｉｃａｔｉｏｎメッセージを受信したｅＮＢ９１３は、成功的にアップリンク及びダウンリンク分離動作が実行されることを検出し、それによって既存のＳ１ベアラとデータ無線ベアラをそのまま維持しつつ、アップリンクＩＰフローをＳＧＷ９１９に伝送するために使用する(ステップ９５３，９５５，９５７，９５９，９６１)。
【０１２２】
一方、図９Ａ及び図９Ｂが図８に示したベアラの構成による移動通信ネットワークでベアラを接続するプロセスを示したが、図９Ａ及び図９Ｂに対して多様な変形が可能であることはもちろんである。例えば、図９Ａ及び図９Ｂには連続するステップが示されているが、図９Ａ及び図９Ｂで説明したステップは、オーバーラップされたり、並列に発生したり、異なる順序で発生したり、あるいは複数回発生したりしてもよい。
【０１２３】
図９Ａ及び図９Ｂでは図８に示したベアラの構成による移動通信ネットワークでベアラを接続するプロセスについて説明した。次に、図１０を参照して、本発明の一実施形態による移動通信ネットワークでベアラの構成のもう一つの例について説明する。
【０１２４】
図１０は、本発明の一実施形態による移動通信ネットワークでベアラの構成のもう一つの例を概略的に示す。
【０１２５】
図１０を参照すれば、図１０に示す移動通信ネットワークでのベアラ構成は、図７で説明したような移動通信ネットワークでのベアラ構成に追加的に無線ＬＡＮ方式を使用するＡＰを通過するＥＰＳベアラを含む。
【０１２６】
したがって、アップリンクＩＰフロー及びダウンリンクＩＰフローをすべて管理するＬＴＥ移動通信システムを経由する既存のＥＰＳベアラは、アップリンクＩＰフローのみを通過するようになり、新たなＥＰＳベアラにはダウンリンクＩＰフローが対応する。したがって、図１０に示す移動通信ネットワークでのベアラ構成は、ＥＰＳベアラと下位ベアラが１対１で管理される既存のＬＴＥ移動通信システムのベアラ構成が維持される特徴を有する。
【０１２７】
図１０では、本発明の一実施形態による移動通信ネットワークでベアラの構成の他の例について説明した。次に、図１１Ａ及び図１１Ｂを参照して、図１０に示したベアラの構成による移動通信ネットワークでベアラを接続するプロセスについて説明する。
【０１２８】
図１１Ａ及び図１１Ｂは、図１０に示したベアラ構成による移動通信ネットワークでベアラを接続するプロセスを概略的に示す。
【０１２９】
図１１Ａ及び図１１Ｂを参照すると、移動通信ネットワークは、ＵＥ１１１１、ｅＮＢ１１１３、ＡＰ１１１５、ＭＭＥ１１１７、ＳＧＷ１１１９、ＰＧＷ１１２１、及びＰＣＲＦエンティティ１１２３を含む。
【０１３０】
図１１Ａ及び図１１Ｂに示した移動通信ネットワークでベアラを接続するプロセスは、図９Ａのステップ９２３乃至ステップ９３９と同一のプロセスが完了した後のベアラを接続するプロセスであることに留意しなければならない。
【０１３１】
したがって、ｅＮＢ１１１３は、ステップ１１２５で、ＭＭＥ１１１７にＥ-ＲＡＢ  ｓｅｐａｒａｔｉｏｎ  ｉｎｄｉｃａｔｉｏｎメッセージを送信する。すなわち、ｅＮＢ１１１３は、ＭＭＥ１１１７にＥ-ＲＡＢ  ｓｅｐａｒａｔｉｏｎ  ｉｎｄｉｃａｔｉｏｎメッセージを送信することによって、現在ＬＴＥ方式を使用するｅＮＢ１１１３を通過するように設定されたＥ-ＲＡＢに対応するＥＰＳベアラをアップリンクのために使用し、無線ＬＡＮ方式を使用するＡＰ１１１５を通過するＥＰＳベアラを新たに生成してダウンリンクのために使用するプロセスを開始する。Ｅ-ＲＡＢ  ｓｅｐａｒａｔｉｏｎ  ｉｎｄｉｃａｔｉｏｎメッセージは、Ｅ-ＲＡＢ  ｔｏ  ｂｅ  ｓｅｐａｒａｔｅｄ{Ｅ-ＲＡＢ  ＩＤ、ｔｒａｎｓｐｏｒｔ  ｌａｙｅｒ  ａｄｄｒｅｓｓ、ＤＬ  ＧＴＰ  ＴＥＩＤ}、Ｅ-ＲＡＢ  ｎｏｔ  ｔｏ  ｂｅ  ｍｏｄｉｆｉｅｄ{Ｅ-ＲＡＢ  ＩＤ、ｔｒａｎｓｐｏｒｔ  ｌａｙｅｒ  ａｄｄｒｅｓｓ、ＤＬ  ＧＴＰ  ＴＥＩＤ}を含むことができる。
【０１３２】
ｅＮＢ１１１３からＥ-ＲＡＢ  ｓｅｐａｒａｔｉｏｎ  ｉｎｄｉｃａｔｉｏｎメッセージを受信したＭＭＥ１１１７は、ステップ１１２７で、ダウンリンク伝送のために新たに生成されるＥＰＳベアラのためのＥＰＳ  ｂｅａｒｅｒ  ＩＤとＥ-ＲＡＢのためのＥ-ＲＡＢ  ＩＤを各々新たに割り当てる。その後、ＭＭＥ１１１７は、ステップ１１２９で、ＳＧＷ１１１９にｂｅａｒｅｒ  ｓｅｐａｒａｔｉｏｎ  ｒｅｑｕｅｓｔメッセージを送信する。ここで、ｂｅａｒｅｒ  ｓｅｐａｒａｔｉｏｎ  ｒｅｑｕｅｓｔメッセージは、ＩＭＳＩ、ＲＡＴタイプ、ＡＰＮ、ＤＬ  ｂｅａｒｅｒ  ｃｏｎｔｅｘｔ  ｔｏ  ｂｅ  ｃｒｅａｔｅｄ{ＥＰＳ  ｂｅａｒｅｒ  ＩＤ，Ｓ１  ＡＰ  Ｆ-ＴＥＩＤ、ＱｏＳ}、ＵＬ  ｂｅａｒｅｒ  ｃｏｎｔｅｘｔ  ｔｏ  ｂｅ  ｍｏｄｉｆｉｅｄ{ＥＰＳ  ｂｅａｒｅｒ  ＩＤ，ＱｏＳ}を含むことができる。すなわち、ｂｅａｒｅｒ  ｓｅｐａｒａｔｉｏｎ  ｒｅａｕｅｓｔメッセージは、無線ＬＡＮ方式を使用するＡＰ１１１５を通過して新たに生成されるダウンリンクベアラのための情報であるＤＬ  ｂｅａｒｅｒ  ｃｏｎｔｅｘｔ  ｔｏ  ｂｅ  ｃｒｅａｔｅｄとＬＴＥ方式を使用するｅＮＢ１１１３を通過するように設定されているが、アップリンク専用に変更されるベアラの情報であるＵＬ  ｂｅａｒｅｒ  ｃｏｎｔｅｘｔ  ｔｏ  ｂｅ  ｍｏｄｉｆｉｅｄを含むことである。
【０１３３】
ＭＭＥ１１１７からｂｅａｒａｅｒ  ｓｅｐａｒａｔｉｏｎ  ｒｅｑｕｅｓｔメッセージを受信したＳＧＷ１１１９は、ステップ１１３１で、ｂｅａｒｅｒ  ｓｅｐａｒａｔｉｏｎ  ｒｅｑｕｅｓｔメッセージに含まれている情報に基づいてＡＰ１１１５とＳＧＷ１１１９との間のダウンリンクＳ１ベアラを生成できる。
【０１３４】
さらに、ＳＧＷ１１１９は、ステップ１１３３で、ＰＧＷ１１２１にｂｅａｒｅｒ  ｓｅｐａｒａｔｉｏｎ  ｒｅｑｕｅｓｔメッセージを送信する。ｂｅａｒｅｒ  ｓｅｐａｒａｔｉｏｎ  ｒｅｑｕｅｓｔメッセージは、ＩＭＳＩ、ＲＡＴタイプ、ＡＰＮ、ＤＬ  ｂｅａｒｅｒ  ｃｏｎｔｅｘｔ  ｔｏ  ｂｅ  ｃｒｅａｔｅｄ{ＥＰＳ  ｂｅａｒｅｒ  ＩＤ，Ｓ５  ＳＧＷ  Ｆ-ＴＥＩＤ，ＱｏＳ}、ＵＬ  ｂｅａｒｅｒ  ｃｏｎｔｅｘｔ  ｔｏ  ｂｅ  ｍｏｄｉｆｉｅｄ{ＥＰＳ  ｂｅａｒｅｒ  ＩＤ，ＱｏＳ}を含むことができる。すなわち、ｂｅａｒｅｒ  ｓｅｐａｒａｔｉｏｎ
【０１３５】
ｒｅｑｕｅｓｔメッセージは、無線ＬＡＮ方式を使用するＡＰ１１１５を通過するように新たに生成されるダウンリンクベアラのための情報と、ＬＴＥ方式を使用するｅＮＢ１１１３を通過するように既存に生成されるが、アップリンク専用に変更されるベアラの情報とを含む。
【０１３６】
ＳＧＷ１１１９からｂｅａｒｅｒ  ｓｅｐａｔｒａｔｉｏｎ  ｒｅｑｕｅｓｔメッセージを受信したＰＧＷ１１２１は、ステップ１１３５で、ｂｅａｒｅｒ  ｓｅｐａｒａｔｉｏｎ  ｒｅｑｕｅｓｔメッセージに含まれている情報に基づいてＳＧＷ１１１９とＰＧＷ１１２１との間のダウンリンクＳ５ベアラを生成できる。
【０１３７】
さらに、ＰＧＷ１１２１は、ステップ１１３７で、ＳＧＷ１１１９にｂｅａｒｅｒ  ｓｅｐａｒａｔｉｏｎ  ｒｅｑｕｅｓｔメッセージに対する応答メッセージであるｂｅａｒｅｒ  ｓｅｐａｒａｔｉｏｎ  ｒｅｓｐｏｎｓｅメッセージを送信する。ｂｅａｒｅｒ  ｓｅｐａｒａｔｉｏｎ  ｒｅｓｐｏｎｓｅメッセージは、ＤＬ  ｂｅａｒｅｒ  ｃｏｎｔｅｘｔ  ｃｒｅａｔｅｄ{ＥＰＳ  ｂｅａｒｅｒ  ＩＤ、ＱｏＳ}、ＵＬ  ｂｅａｒｅｒ  ｃｏｎｔｅｘｔ  ｍｏｄｉｆｉｅｄ{ＥＰＳ  ｂｅａｒｅｒ  ＩＤ、ＱｏＳ}、ＵＬ  ＴＦＴを含むことができる。ＳＧＷ１１１９がＰＧＷ１１２１からｂｅａｒｅｒ  ｓｅｐａｒａｔｉｏｎ  ｒｅｓｐｏｎｓｅメッセージを受信することによって、ステップ１１３９で、ＳＧＷ１１１９とＰＧＷ１１２１との間のアップリンクＳ５ベアラは修正される。すなわち、ｂｅａｒｅｒ  ｓｅｐａｒａｔｉｏｎ  ｒｅｓｐｏｎｓｅメッセージを受信したＳＧＷ１１１９は、ｅＮＢ１１１３を通過するように既存に生成されているベアラが特定リソースを保証する形態のＧＢＲ(Guaranteed  Bit  Rate)ベアラである場合、該当ベアラのダウンリンクトラフィックのためのリソースを解除することによって、既存に生成されたベアラをアップリンク専用ベアラに設定できる。
【０１３８】
また、ＳＧＷ１１１９は、ステップ１１４１で、ＭＭＥ１１１７にｂｅａｒｅｒ  ｓｅｐａｒａｔｉｏｎ  ｒｅｓｐｏｎｓｅメッセージを送信する。ｂｅａｒｅｒ  ｓｅｐａｒａｔｉｏｎ  ｒｅｓｐｏｎｓｅメッセージは、ＤＬ  ｂｅａｒｅｒ  ｃｏｎｔｅｘｔ  ｃｒｅａｔｅｄ{ＥＰＳ  ｂｅａｒｅｒ  ＩＤ、ＱｏＳ}、ＵＬ  ｂｅａｒｅｒ  ｃｏｎｔｅｘｔ  ｍｏｄｉｆｉｅｄ{ＥＰＳ  ｂｅａｒｅｒ  ＩＤ、ＱｏＳ}、ＵＬ  ＴＦＴを含むことができる。ＳＧＷ１１１９からｂｅａｒｅｒ  ｓｅｐａｒａｔｉｏｎ  ｒｅｓｐｏｎｓｅメッセージを受信したＭＭＥ１１１７は、ステップ１１４３で、ｅＮＢ１１１３にＥ-ＲＡＢ修正確認(以下、“Ｅ-ＲＡＢ  ｍｏｄｉｆｉｃａｔｉｏｎ  ｃｏｎｆｉｒｍ”と称する)メッセージを送信する。ここで、Ｅ-ＲＡＢｍｏｄｉｆｉｃａｔｉｏｎ  ｃｏｎｆｉｒｍメッセージは、ＭＭＥ  ＵＥ  Ｓ１  ＡＰ  ＩＤ、ｅＮＢ  ＵＥ  Ｓ１  ＡＰ  ＩＤ、Ｅ-ＲＡＢ  ｍｏｄｉｆｙ  ｌｉｓｔ{Ｅ-ＲＡＢ  ＩＤ}を含むことができる。
【０１３９】
ＭＭＥ１１１７からＥ-ＲＡＢ  ｍｏｄｉｆｉｃａｔｉｏｎ  ｃｏｎｆｉｒｍメッセージを受信したｅＮＢ１１１３は、ｅＮＢ１１１３を通過するように既存に生成されているベアラが特定リソースを保証する形態のＧＢＲベアラである場合、ステップ１１４５で、該当ベアラのダウンリンクトラフィックのためのリソースを解除して既存のベアラをアップリンク専用ベアラに設定できる。
【０１４０】
図１１Ａ及び図１１Ｂには、図１０に示したベアラの構成による移動通信ネットワークでベアラを接続するプロセスを示したが、図１１Ａ及び図１１Ｂに対して多様な変形が可能であることはもちろんである。例えば、図１１Ａ及び図１１Ｂには連続するステップを示したが、図１１Ａ及び図１１Ｂで説明したステップは、オーバーラップされたり、並列に発生したり、異なる順序で発生したり、あるいは複数回発生したりしてもよい。
【０１４１】
図１１Ａ及び図１１Ｂでは、図１０に示したベアラの構成による移動通信ネットワークでベアラを接続するプロセスについて説明した。次に、図１２を参照して、本発明の一実施形態による移動通信ネットワークでＵＥの内部構成について説明する。
【０１４２】
図１２は、本発明の一実施形態による移動通信ネットワークでＵＥの内部構成を概略的に示す。
【０１４３】
図１２を参照すると、ＵＥ１２００は、送信器１２１１、制御器１２１３、受信器１２１５、及び格納ユニット１２１７を含む。
【０１４４】
制御器１２１３は、ＵＥ１２００の全般的な動作を制御し、特に本発明の一実施形態による移動通信ネットワークでトラフィック特性に基づいて信号を送受信する動作に関連した動作を制御する。本発明の一実施形態による移動通信ネットワークで、トラフィック特性をもとに信号を送受信する動作に関連した動作について図１乃至図１１で説明したので、ここで、その詳細な説明は省略する。
【０１４５】
送信器１２１１は、制御器１２１３の制御によって移動通信ネットワークに含まれる他のエンティティに各種信号及び各種メッセージを送信する。ここで、送信器１２１１により送信される各種信号及び各種メッセージは、図１乃至図１１で説明したので、ここでその詳細な説明を省略する。
【０１４６】
さらに、受信器１２１５は、制御器１２１３の制御により、移動通信ネットワークに含まれる他のエンティティから各種信号及び各種メッセージを受信する。ここで、受信器１２１５により受信される各種信号及び各種メッセージは、図１乃至図１１で説明したので、ここでその詳細な説明を省略する。
【０１４７】
格納ユニット１２１７は、制御器１２１３の制御により、ＵＥ１２００が実行する本発明の一実施形態による移動通信ネットワークでトラフィック特性に基づいて信号を送受信する動作に関する動作と関連したプログラムと多様なデータなどを格納する。
【０１４８】
格納ユニット１２１７は、受信器１２１５により他のエンティティから受信された各種信号及び各種メッセージを格納する。
【０１４９】
一方、図１２にはＵＥ１２００が送信器１２１１、制御器１２１３、受信器１２１５、及び格納ユニット１２１７のように別のユニットで実現された場合を示すが、ＵＥ１２００は、送信器１２１１、制御器１２１３、受信器１２１５、及び格納ユニット１２１７のうち少なくとも２個が統合された形態で実現されてもよい。
【０１５０】
また、ＵＥ１２００は、１個のプロセッサで実現されてもよい。
【０１５１】
図１２では本発明の一実施形態による移動通信ネットワークでＵＥの内部構成に関して説明した。次に、図１３を参照して、本発明の一実施形態による移動通信ネットワークでｅＮＢの内部構成について説明する。
【０１５２】
図１３は、本発明の一実施形態による移動通信ネットワークにおけるｅＮＢの内部構成を概略的に示す。
【０１５３】
図１３を参照すれば、ｅＮＢ１３００は、送信器１３１１、制御器１３１３、受信器１３１５、及び格納ユニット１３１７を含む。
【０１５４】
まず、制御器１３１３は、ｅＮＢ１３００の全般的な動作を制御し、特に本発明の一実施形態による移動通信ネットワークでトラフィック特性に基づいて信号を送受信する動作に関連した動作を制御する。本発明の一実施形態による移動通信ネットワークでトラフィック特性をもとに信号を送受信する動作に関する動作と関連して、図１乃至図１１で説明したので、ここでその詳細な説明を省略する。
【０１５５】
送信器１３１１は、制御器１３１３の制御によって移動通信ネットワークに含まれる他のエンティティに各種信号及び各種メッセージを送信する。ここで、送信器１３１１により送信される各種信号及び各種メッセージは、図１乃至図１１での説明と同様なので、ここでその詳細な説明を省略する。
【０１５６】
また、受信器１３１５は、制御器１３１３の制御によって移動通信ネットワークに含まれる他のエンティティから各種信号及び各種メッセージを受信する。ここで、受信器１３１５により受信される各種信号及び各種メッセージは、図１乃至図１１で説明したので、ここではその詳細な説明を省略する。
【０１５７】
格納ユニット１３１７は、制御器１３１３の制御によってｅＮＢ１３００が実行する本発明の一実施形態による移動通信ネットワークでトラフィック特性に基づいて信号を送受信する動作に関する動作と関連したプログラムと各種データを格納する。
【０１５８】
格納ユニット１３１７は、受信器１３１５により他のエンティティから受信される各種信号及び各種メッセージを格納する。
【０１５９】
一方、図１３ではｅＮＢ１３００が送信器１３１１、制御器１３１３、受信器１３１５、及び格納ユニット１３１７のように別のユニットで実現される場合を説明したが、ｅＮＢ１３００は、送信器１３１１、制御器１３１３、受信器１３１５、及び格納ユニット１３１７のうち少なくとも２個が統合された形態で実現されてもよい。
【０１６０】
また、ｅＮＢ１３００は、１個のプロセッサで実現されてもよい。
【０１６１】
図１３では本発明の一実施形態による移動通信ネットワークでｅＮＢの内部構成に関して説明した。次に、図１４を参照して、本発明の一実施形態による移動通信ネットワークでＡＰの内部構成について説明する。
【０１６２】
図１４は、本発明の一実施形態による移動通信ネットワークでＡＰの内部構成を概略的に示す。
【０１６３】
図１４を参照すると、ＡＰ１４００は、送信器１４１１、制御器１４１３、受信器１４１５、及び格納ユニット１４１７を含む。
【０１６４】
まず、制御器１４１３は、ＡＰ１４００の全般的な動作を制御し、特に本発明の一実施形態による移動通信ネットワークでトラフィック特性に基づいて信号を送受信する動作に関連した動作を制御する。本発明の一実施形態による移動通信ネットワークで、トラフィック特性をもとに信号を送受信する動作に関連した動作は、図１乃至図１１での説明と同様なので、ここでその詳細な説明を省略する。
【０１６５】
送信器１４１１は、制御器１４１３の制御によって移動通信ネットワークに含まれる他のエンティティに各種信号及び各種メッセージを送信する。ここで、送信器１４１１により送信される各種信号及び各種メッセージは、図１乃至図１１で説明したので、ここではその詳細な説明を省略する。
【０１６６】
さらに、受信器１４１５は、制御器１４１３の制御により、移動通信ネットワークに含まれる他のエンティティから各種信号及び各種メッセージを受信する。ここで、受信器１４１５により受信される各種信号及び各種メッセージは、図１乃至図１１で説明したので、その詳細な説明を省略する。
【０１６７】
格納ユニット１４１７は、制御器１４１３の制御により、ＡＰ１４００が実行する本発明の一実施形態による移動通信ネットワークでトラフィック特性に基づいて信号を送受信する動作に関する動作と関連したプログラムと各種データなどを格納する。
【０１６８】
また、格納ユニット１４１７は、受信器１４１５により他のエンティティから受信された各種信号及び各種メッセージを格納する。
【０１６９】
一方、図１４にはＡＰ１４００が送信器１４１１、制御器１４１３、受信器１４１５、及び格納ユニット１４１７のように別のユニットで実現された場合を示すが、ＡＰ１４００は、送信器１４１１、制御器１４１３、受信器１４１５、及び格納ユニット１４１７のうち少なくとも２個が統合された形態で実現されてもよい。
【０１７０】
また、ＡＰ１４００は、１個のプロセッサで実現されてもよい。
【０１７１】
図１４では本発明の一実施形態による移動通信ネットワークでＡＰの内部構成に関して説明した。次に、図１５を参照して、本発明の一実施形態による移動通信ネットワークでＭＭＥの内部構成について説明する。
【０１７２】
図１５は、本発明の一実施形態による移動通信ネットワークでＭＭＥの内部構成を概略的に示す。
【０１７３】
図１５を参照すると、ＭＭＥ１５００は、送信器１５１１、制御器１５１３、受信器１５１５、及び格納ユニット１５１７を含む。
【０１７４】
まず、制御器１５１３は、ＭＭＥ１５００の全般的な動作を制御し、特に本発明の一実施形態による移動通信ネットワークでトラフィック特性に基づいて信号を送受信する動作に関連した動作を制御する。本発明の一実施形態による移動通信ネットワークで、トラフィック特性をもとに信号を送受信する動作に関連した動作について、図１乃至図１１での説明と同様なので、ここでその詳細な説明を省略する。
【０１７５】
送信器１５１１は、制御器１５１３の制御によって移動通信ネットワークに含まれる他のエンティティに各種信号及び各種メッセージを送信する。ここで、送信器１５１１により送信される各種信号及び各種メッセージは、図１乃至図１１での説明と同様なので、ここではその詳細な説明を省略する。
【０１７６】
さらに、受信器１５１５は、制御器１５１３の制御により、移動通信ネットワークに含まれる他のエンティティから各種信号及び各種メッセージを受信する。ここで、受信器１５１５が受信する各種信号及び各種メッセージは、図１乃至図１１で説明したので、その詳細な説明を省略する。
【０１７７】
格納ユニット１５１７は、制御器１５１３の制御により、ＭＭＥ１５００が実行する本発明の一実施形態による移動通信ネットワークでトラフィック特性に基づいて信号を送受信する動作に関する動作と関連したプログラムと多様なデータなどを格納する。
【０１７８】
また、格納ユニット１５１７は、受信器１５１５により他のエンティティから受信された各種信号及び各種メッセージを格納する。
【０１７９】
一方、図１５にはＭＭＥ１５００が送信器１５１１、制御器１５１３、受信器１５１５、及び格納ユニット１５１７のように別のユニットで実現された場合を示すが、ＭＭＥ１５００は、送信器１５１１、制御器１５１３、受信器１５１５、及び格納ユニット１５１７のうち少なくとも２個が統合された形態で実現されてもよい。
【０１８０】
また、ＭＭＥ１５００は、１個のプロセッサで実現されてもよい。
【０１８１】
図１５では本発明の一実施形態による移動通信ネットワークでＭＭＥの内部構成に関して説明した。次に、図１６を参照して、本発明の一実施形態による移動通信ネットワークでＳＧＷの内部構成について説明する。
【０１８２】
図１６は、本発明の一実施形態による移動通信ネットワークでＳＧＷの内部構成を概略的に示す。
【０１８３】
図１６を参照すると、ＳＧＷ１６００は、送信器１６１１、制御器１６１３、受信器１６１５、及び格納ユニット１６１７を含む。
【０１８４】
まず、制御器１６１３は、ＳＧＷ１６００の全般的な動作を制御し、特に本発明の一実施形態による移動通信ネットワークでトラフィック特性に基づいて信号を送受信する動作に関連した動作を制御する。本発明の一実施形態による移動通信ネットワークで、トラフィック特性をもとに信号を送受信する動作に関連した動作について、図１乃至図１１で説明したので、ここで、その詳細な説明は省略する。
【０１８５】
送信器１６１１は、制御器１６１３の制御によって移動通信ネットワークに含まれる他のエンティティに各種信号及び各種メッセージを送信する。ここで、送信器１６１１により送信される各種信号及び各種メッセージは、図１乃至図１１での説明と同一なので、ここではその詳細な説明を省略する。
【０１８６】
さらに、受信器１６１５は、制御器１６１３の制御により、移動通信ネットワークに含まれる他のエンティティから各種信号及び各種メッセージを受信する。ここで、受信器１６１５により受信される各種信号及び各種メッセージは、図１乃至図１１で説明したので、その詳細な説明を省略する。
【０１８７】
格納ユニット１６１７は、制御器１６１３の制御により、ＳＧＷ１６００が実行する本発明の一実施形態による移動通信ネットワークでトラフィック特性に基づいて信号を送受信する動作に関する動作と関連したプログラムと多様なデータなどを格納する。
【０１８８】
また、格納ユニット１６１７は、受信器１６１５が他のエンティティから受信した各種信号及び各種メッセージを格納する。
【０１８９】
一方、図１６にはＳＧＷ１６００が送信器１６１１、制御器１６１３、受信器１６１５、及び格納ユニット１６１７のように別のユニットで実現された場合を示すが、ＳＧＷ１６００は、送信器１６１１、制御器１６１３、受信器１６１５、及び格納ユニット１６１７のうち少なくとも２個が統合された形態で実現されてもよい。
【０１９０】
また、ＳＧＷ１６００は、１個のプロセッサで実現されてもよい。
【０１９１】
図１６では本発明の一実施形態による移動通信ネットワークでＳＧＷの内部構成に関して説明した。次に、図１７を参照して、本発明の一実施形態による移動通信ネットワークでＰＧＷの内部構成について説明する。
【０１９２】
図１７は、本発明の一実施形態による移動通信ネットワークでＰＧＷの内部構成を概略的に示す。
【０１９３】
図１７を参照すると、ＰＧＷ１７００は、送信器１７１１、制御器１７１３、受信器１７１５、及び格納ユニット１７１７を含む。
【０１９４】
まず、制御器１７１３は、ＰＧＷ１７００の全般的な動作を制御し、特に本発明の一実施形態による移動通信ネットワークでトラフィック特性に基づいて信号を送受信する動作に関連した動作を制御する。本発明の一実施形態による移動通信ネットワークで、トラフィック特性をもとに信号を送受信する動作に関連した動作は、図１乃至図１１での説明と同様なので、ここでその詳細な説明を省略する。
【０１９５】
送信器１７１１は、制御器１７１３の制御によって移動通信ネットワークに含まれる他のエンティティに各種信号及び各種メッセージを送信する。ここで、送信器１７１１が送信する各種信号及び各種メッセージは、図１乃至図１１での説明と同一なので、ここでその詳細な説明を省略する。
【０１９６】
さらに、受信器１７１５は、制御器１７１３の制御により、移動通信ネットワークに含まれる他のエンティティから各種信号及び各種メッセージを受信する。ここで、受信器１７１５により受信される各種信号及び各種メッセージは、図１乃至図１１で説明したので、その詳細な説明を省略する。
【０１９７】
格納ユニット１７１７は、制御器１７１３の制御により、ＰＧＷ１７００が実行する本発明の一実施形態による移動通信ネットワークでトラフィック特性に基づいて信号を送受信する動作に関する動作と関連したプログラムと多様なデータなどを格納する。
【０１９８】
また、格納ユニット１７１７は、受信器１７１５により他のエンティティから受信された各種信号及び各種メッセージを格納する。
【０１９９】
一方、図１７にはＰＧＷ１７００が送信器１７１１、制御器１７１３、受信器１７１５、及び格納ユニット１７１７のように別のユニットで実現された場合を示したが、ＰＧＷ１７００は、送信器１７１１、制御器１７１３、受信器１７１５、及び格納ユニット１７１７のうち少なくとも２個が統合された形態で実現されてもよい。
【０２００】
また、ＰＧＷ１７００は、１個のプロセッサで実現されてもよい。
【０２０１】
図１７では本発明の一実施形態による移動通信ネットワークでＰＧＷの内部構成に関して説明した。次に、図１８を参照して、本発明の一実施形態による移動通信ネットワークでＰＣＲＦエンティティの内部構成について説明する。
【０２０２】
図１８は、本発明の一実施形態による移動通信ネットワークでＰＣＲＦエンティティの内部構成を概略的に示す。
【０２０３】
図１８を参照すると、ＰＣＲＦエンティティ１８００は、送信器１８１１、制御器１８１３、受信器１８１５、及び格納ユニット１８１７を含む。
【０２０４】
まず、制御器１８１３は、ＰＣＲＦエンティティ１８００の全般的な動作を制御し、特に本発明の一実施形態による移動通信ネットワークでトラフィック特性に基づいて信号を送受信する動作に関連した動作を制御する。本発明の一実施形態による移動通信ネットワークで、トラフィック特性をもとに信号を送受信する動作に関連した動作について、図１乃至図１１での説明と同一一なので、ここで、その詳細な説明を省略する。
【０２０５】
送信器１８１１は、制御器１８１３の制御によって移動通信ネットワークに含まれる他のエンティティで各種信号及び各種メッセージを送信する。ここで、送信器１８１１が送信する各種信号及び各種メッセージは、図１乃至図１１での説明と同一なので、ここではその詳細な説明を省略する。
【０２０６】
さらに、受信器１８１５は、制御器１８１３の制御により、移動通信ネットワークに含まれる他のエンティティから各種信号及び各種メッセージを受信する。ここで、受信器１８１５が受信する各種信号及び各種メッセージは、図１乃至図１１で説明したので、その詳細な説明を省略する。
【０２０７】
格納ユニット１８１７は、制御器１８１３の制御により、ＰＣＲＦエンティティ１８００が実行する本発明の一実施形態による移動通信ネットワークでトラフィック特性に基づいて信号を送受信する動作に関する動作と関連したプログラムと各種データなどを格納する。
【０２０８】
また、格納ユニット１８１７は、受信器１８１５が他のエンティティから受信した各種信号及び各種メッセージを格納する。
【０２０９】
一方、図１８にはＰＣＲＦエンティティ１８００が送信器１８１１、制御器１８１３、受信器１８１５、及び格納ユニット１８１７のように別のユニットで実現された場合を示すが、ＰＣＲＦエンティティ１８００は、送信器１８１１、制御器１８１３、受信器１８１５、及び格納ユニット１８１７のうち少なくとも２個が統合された形態でも実現可能である。
【０２１０】
また、ＰＣＲＦエンティティ１８００は、１個のプロセッサで実現されてもよい。
【０２１１】
図１８では本発明の一実施形態による移動通信ネットワークでＰＣＲＦエンティティの内部構成に関して説明した。次に、図１９を参照して、本発明の一実施形態による移動通信ネットワークでＨＳＳの内部構成について説明する。
【０２１２】
図１９は、本発明の一実施形態による移動通信ネットワークにおけるＨＳＳの内部構成を概略的に示す図である。
【０２１３】
図１９を参照すると、ＨＳＳ１９００は、送信器１９１１、制御器１９１３、受信器１９１５、及び格納ユニット１９１７を含む。
【０２１４】
まず、制御器１９１３は、ＨＳＳ１９００の全般的な動作を制御し、特に本発明の一実施形態による移動通信ネットワークでトラフィック特性に基づいて信号を送受信する動作に関連した動作を制御する。本発明の一実施形態による移動通信ネットワークにおいて、トラフィック特性に基づいて信号を送受信する動作に関連した動作は、図１乃至図１１での説明と同様なので、ここでその詳細な説明を省略する。
【０２１５】
送信器１９１１は、制御器１９１３の制御により移動通信ネットワークに含まれる他のエンティティに各種信号及び各種メッセージを送信する。ここで、送信器１９１１により送信される各種信号及び各種メッセージは、図１乃至図１１での説明と同一なので、ここではその詳細な説明を省略する。
【０２１６】
また、受信器１９１５は、制御器１９１３の制御により移動通信ネットワークに含まれる他のエンティティから各種信号及び各種メッセージを受信する。ここで、受信器１９１５により受信される各種信号及び各種メッセージは、図１乃至図１１での説明と同様なので、その詳細な説明を省略する。
【０２１７】
格納ユニット１９１７は、制御器１９１３の制御によってＨＳＳ１９００により実行される本発明の一実施形態による移動通信ネットワークでトラフィック特性に基づいて信号を送受信する動作に関する動作と関連したプログラムと各種データなどを格納する。
また、格納ユニット１９１７は、受信器１９１５により他のエンティティから受信された各種信号及び各種メッセージを格納する。
【０２１８】
一方、図１９には、ＨＳＳ１９００が送信器１９１１、制御器１９１３、受信器１９１５、及び格納ユニット１９１７のように別のユニットで実現される場合を示したが、ＨＳＳ１９００は、送信器１９１１、制御器１９１３、受信器１９１５、及び格納ユニット１９１７のうち少なくとも２個が統合された形態で実現されてもよい。
【０２１９】
さらに、ＨＳＳ１９００は、１個のプロセッサで実現されてもよい。
【０２２０】
上記した本発明による実施形態は、コンピュータ読み取り可能な記録媒体に対するコンピュータ読み取り可能なコードとして実施されることができる。このコンピュータ読み取り可能な記録媒体は、コンピュータシステムによって読み取り可能なデータを格納するデータストレージデバイスとなり得る。コンピュータ読み取り可能な記録媒体の例としては、ＲＯＭ(Read-Only Memory)、ＲＡＭ(Random-Access Memory)、ＣＤ-ＲＯＭ、磁気テープ、フロッピーディスク、光データ格納装置、及び搬送波(有無線伝送経路を介してインターネットを経由するデータ伝送のような)を含むが、これに限定されることではない。また、このコンピュータ読み取り可能な記録媒体は、ネットワーク接続されたコンピュータシステムにわたって分散されることによって、コンピュータ読み取り可能なコードは分散形態で格納及び実行される。また、本発明を達成するための機能(function)プログラム、コード、及びコードセグメントは、当該技術分野における熟練されたプログラマにとっては容易に理解できることである。
【０２２１】
本発明の実施形態によるトポロジ処理方法は、ハードウェア、ソフトウェア、又はそれらの組み合わせの形態で実現可能であることがわかる。このようなソフトウェアは、例えば、揮発性又は非揮発性格納装置(例えば、削除可能/再書き込み可能なＲＯＭ(Read Only Memory)、メモリ(例えば、ＲＡＭ(Random Access Memory)、メモリチップ、及び集積回路(ＩＣ)チップ)、又は光学的又は磁気的に記録可能な機械(例えば、コンピュータ)-読み取り可能な格納媒体(例えば、ＣＤ(Compact Disc)、ＤＶＤ(Digital Versatile Disc)、磁気ディスク、及び磁気テープ)に格納することができる。トポロジ処理方法は、制御部及びメモリを含むコンピュータ又は移動端末により実現できる。このメモリは、本発明の実施形態を実現するための命令を含むプログラムを格納するのに適合した機械読み取り可能な格納媒体であり得る。
【０２２２】
したがって、本発明は、本請求項により定められた装置及び方法を実現するための符号を含むプログラム、及びこのようなプログラムを格納する機械(例えば、コンピュータ)読み取り可能な格納媒体を含む。このプログラムは、有線/無線接続を通じて伝送される通信信号のような媒体を介して電気的に伝送でき、これに均等なものと共に本発明に含まれる。
【０２２３】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０２２４】
１１１  サーバ
１１３  PDNゲートウェイ
１１５  サービングゲートウェイ
１１７  eNB
１１９  UE
１２１  アクセスポイント
１２００  UE
１２１１  送信器
１２１３  制御器
１２１５  受信器
１２１７  格納ユニット
１３００  eNB
１３１１  送信器
１３１３  制御器
１３１５  受信器
１３１７  格納ユニット
１４００  AP
１４１１  送信器
１４１３  制御器
１４１５  受信器
１４１７  格納ユニット
１５００  MME
１５１１  送信器
１５１３  制御器
１５１５  受信器
１５１７  格納ユニット
１６００  SGW
１６１１  送信器
１６１３  制御器
１６１５  受信器
１６１７  格納ユニット
１７００  PGW
１７１１  送信器
１７１３  制御器
１７１５  受信器
１７１７  格納ユニット
１８００  PCRFエンティティ
１８１１  送信器
１８１３  制御器
１８１５  受信器
１８１７  格納ユニット
１９００  HSS
１９１１  送信器
１９１３  制御器
１９１５  受信器
１９１７  格納ユニット
【図１】
2018523379.tif 000003
【図２】
2018523379.tif 000004
【図３】
2018523379.tif 000005
【図４】
2018523379.tif 000006
【図５】
2018523379.tif 000007
【図６】
2018523379.tif 000008
【図７】
2018523379.tif 000009
【図８】
2018523379.tif 000010
【図９Ａ】
2018523379.tif 000011
【図９Ｂ】
2018523379.tif 000012
【図１０】
2018523379.tif 000013
【図１１Ａ】
2018523379.tif 000014
【図１１Ｂ】
2018523379.tif 000015
【図１２】
2018523379.tif 000016
【図１３】
2018523379.tif 000017
【図１４】
2018523379.tif 000018
【図１５】
2018523379.tif 000019
【図１６】
2018523379.tif 000020
【図１７】
2018523379.tif 000021
【図１８】
2018523379.tif 000022
【図１９】
2018523379.tif 000023
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
移動通信ネットワークにおける基地局の方法であって、
端末に提供されるトラフィックに対するトラフィック特性を検出するステップと、
前記トラフィック特性に基づいて前記端末に対するアップリンクに適用される第１の無線アクセス技術(ＲＡＴ)及び前記端末に対するダウンリンクに適用される第２のＲＡＴを決定するステップと、
前記第１のＲＡＴ及び第２のＲＡＴをもとに前記端末と通信するステップと、
を有することを特徴とする方法。
【請求項２】
前記トラフィック特性に基づいて前記第１のＲＡＴ及び前記第２のＲＡＴを決定するステップは、
移動通信サービスプロバイダポリシーと前記端末の加入者情報のうち少なくとも一つと前記トラフィック特性に基づいて前記第１のＲＡＴ及び第２のＲＡＴを決定するステップを有することを特徴とする請求項１に記載の方法。
【請求項３】
前記トラフィック特性は、パケットサイズ、パケット間の時間間隔、及びダウンリンクトラフィックとアップリンクトラフィックとの間の比のうち少なくとも一つを含むことを特徴とする請求項２に記載の方法。
【請求項４】
前記移動通信サービスプロバイダポリシーは、トラフィック特性別に適合したＲＡＴをマッピングした情報を含むことを特徴とする請求項２に記載の方法。
【請求項５】
前記トラフィックがｄｏｗｎｌｉｎｋ-ｄｏｍｉｎａｔｅｄアプリケーショントラフィックである場合、前記第１のＲＡＴはライセンスバンドを使用することを特徴とする請求項４に記載の方法。
【請求項６】
前記ｄｏｗｎｌｉｎｋ-ｄｏｍｉｎａｔｅｄアプリケーショントラフィックは、ダウンリンクトラフィック対アップリンクトラフィックの比がしきい値を超えるトラフィックであることを特徴とする請求項５に記載の方法。
【請求項７】
前記トラフィックがｄｏｗｎｌｉｎｋ-ｄｏｍｉｎａｔｅｄアプリケーショントラフィックでない場合、前記第１のＲＡＴはアンライセンスバンドを使用することを特徴とする請求項４に記載の方法。
【請求項８】
前記ｄｏｗｎｌｉｎｋ-ｄｏｍｉｎａｔｅｄアプリケーショントラフィックは、ダウンリンクトラフィック対アップリンクトラフィックの比がしきい値を超えるトラフィックであることを特徴とする請求項７に記載の方法。
【請求項９】
前記移動通信サービスプロバイダポリシーは、トラフィック方向別に適合したＲＡＴがマッピングされる情報を含むことを特徴とする請求項２に記載の方法。
【請求項１０】
前記移動通信サービスプロバイダポリシーは、前記トラフィックがセキュリティ関連トラフィックである場合、ライセンスバンドを使用するＲＡＴがアップリンクトラフィックに対して使用されるようにすることを特徴とする請求項９に記載の方法。
【請求項１１】
移動通信ネットワークにおける基地局であって、
送受信器と、
前記送受信器と接続され、端末に提供されるトラフィックに対するトラフィック特性を検出し、前記トラフィック特性に基づいて前記端末に対するアップリンクに適用される第１の無線アクセス技術(ＲＡＴ)及び前記端末に対するダウンリンクに適用される第２のＲＡＴを決定し、前記第１のＲＡＴ及び前記第２のＲＡＴに基づいて前記端末との通信を制御する制御器を含むことを特徴とする基地局。
【請求項１２】
前記制御器は、移動通信サービスプロバイダポリシーと前記端末の加入者情報のうち少なくとも一つ及び前記トラフィック特性に基づいて前記第１のＲＡＴ及び前記第２のＲＡＴを決定することを特徴とする請求項１１に記載の基地局。
【請求項１３】
前記トラフィック特性は、パケットサイズ、パケット間時間間隔、ダウンリンクトラフィック対アップリンクトラフィックの比のうち少なくとも一つを含むことを特徴とする請求項１２に記載の基地局。
【請求項１４】
前記移動通信サービスプロバイダポリシーは、適合したＲＡＴがトラフィック特性別にマッピングされる情報を含むことを特徴とする請求項１２に記載の基地局。
【請求項１５】
請求項５乃至請求項１０のいずれか１項の方法を実行するように構成されることを特徴とする基地局。
【国際調査報告】
2018523379.tif 000024
2018523379.tif 000025
2018523379.tif 000026
2018523379.tif 000027
2018523379.tif 000028
2018523379.tif 000029